(57)【要約】【課題】状況に応じて行動の指針となる情報を容易に提供可能な技術を提供する。【解決手段】複数要素の項目における各項目間で当該複数要素の項目にそれぞれ属する各要素が相互に関連付けられた関連情報を含む要素関連情報を入力支援ＤＢ１１１に予め格納しておく。その一方で、設定ファイルＤＢ１１２において、相互に異なる各情報要求条件に対して、それぞれ情報取得ルールと情報の取得結果を表示する画面を生成する画面生成ルールとの組合せを関連付けたルール設定情報を予め準備しておく。そして、ユーザーの入力に応じた情報要求条件に対応する情報取得ルール及び画面生成ルールに従って、入力支援ＤＢ１１１から一部の関連情報が取得されるとともに、当該一部の関連情報に基づいて、複数要素の項目にそれぞれ属する各要素が各要素の項目間で相互に関連付けられたネットワーク情報の一覧表示を含む結果表示画面が可視的に出力される。【選択図】図４
2007323102.tif 000002
【特許請求の範囲】
【請求項１】
データベースシステムであって、
複数要素の項目における各項目間で当該複数要素の項目にそれぞれ属する各要素が相互に関連付けられた関連情報を含む要素関連情報を記憶する関連情報データベースと、
複数の情報要求条件に含まれる各情報要求条件に対して、前記関連情報データベースから一部関連情報を取得する情報取得ルールと、情報取得結果を表示する結果表示画面を生成する画面生成ルールとの組合せがそれぞれ関連付けられたルール設定情報を記憶する記憶手段と、
ユーザーによる入力に応答して、前記複数の情報要求条件に含まれる１つの情報要求条件を認識するとともに、前記ルール設定情報を参照することで、前記１つの情報要求条件に対応する情報取得ルールと画面生成ルールとを認識する認識手段と、
前記認識手段によって認識された情報取得ルールに従って、前記関連情報データベースから一部関連情報を取得する取得手段と、
前記認識手段によって認識された画面生成ルールに従って、前記取得手段によって取得された一部関連情報に基づき、複数要素の項目にそれぞれ属する各要素が各要素の項目間で相互に関連付けられたネットワーク情報の一覧表示を含む結果表示画面が表示部において可視的に出力されるように制御する表示制御手段と、
を備えることを特徴とするデータベースシステム。
【請求項２】
請求項１に記載のデータベースシステムであって、
各前記情報要求条件が、
前記複数要素の項目に含まれる１つの項目に属する要素、又は前記複数要素の項目に含まれる一部の複数要素の項目にそれぞれ属する要素の組合せを示す条件を含むことを特徴とするデータベースシステム。
【請求項３】
請求項１または請求項２に記載のデータベースシステムであって、
前記要素関連情報が、
ＲＤＦで記述された情報を含むことを特徴とするデータベースシステム。
【請求項４】
請求項３に記載のデータベースシステムであって、
前記取得手段によって取得された一部関連情報が、
ＲＤＦで記述された情報を含むことを特徴とするデータベースシステム。
【請求項５】
請求項１から請求項４のいずれかに記載のデータベースシステムであって、
前記画面生成ルールが、
前記結果表示画面に含まれる表示要素の色、当該表示要素の形状、前記結果表示画面に含まれる文字要素のフォントの種類、前記一覧表示における要素の項目数、及び前記結果表示画面に含まれる表示要素に対して当該表示要素の指定に応じた情報処理を関連付けた内容をそれぞれ示す情報のうちの１以上の情報を含むことを特徴とするデータベースシステム。
【請求項６】
請求項１から請求項５のいずれかに記載のデータベースシステムであって、
ユーザーによる入力に応答して、前記複数要素の項目に含まれる全て又は一部の項目にそれぞれ属する要素どうしの各項目間における関連を示す新規な入力情報を受け付ける入力情報受付手段と、
前記新規な入力情報に基づき、前記関連情報に対して各項目間における当該各項目にそれぞれ属する要素どうしの関連を示す情報を追加することで、前記関連情報データベースを更新する関連情報更新手段と、
を更に備えることを特徴とするデータベースシステム。
【請求項７】
請求項６に記載のデータベースシステムであって、
前記画面生成ルールが、
前記結果表示画面においてユーザーによる入力により前記一覧表示に含まれる少なくとも一項目に対して当該一覧表示に含まれていない新規な要素が入力されることと、当該新規な要素に対して前記少なくとも一項目に属する要素であることを示すマッピング情報が付与されることとが関連付けられた情報を含むことを特徴とするデータベースシステム。
【請求項８】
請求項１から請求項７のいずれかに記載のデータベースシステムであって、
ユーザーによる入力に応答して、前記複数の情報要求条件とは異なる新規な情報要求条件に対する、前記関連情報データベースから一部関連情報を取得する情報取得ルールと、情報取得結果を表示する結果表示画面を生成する画面生成ルールとの新規な組合せを示す新規なルール情報を受け付ける新規ルール情報受付手段と、
前記新規なルール情報に基づき、前記新規な情報要求条件に対して前記新規な組合せが関連付けられた情報を前記ルール設定情報に対して追加することで、前記ルール設定情報を更新するルール設定情報更新手段と、
を更に備えることを特徴とするデータベースシステム。
【請求項９】
請求項１から請求項８のいずれかに記載のデータベースシステムであって、
前記表示制御手段により前記一覧表示が前記表示部において可視的に出力された状態で、ユーザーによる入力に応答して、前記一覧表示に含まれる各項目に属する要素を当該各項目に対してそれぞれ指定する要素指定手段と、
前記要素指定手段によって指定された要素を所定のレポートモデルに沿ったレポートを構成する要素として決定する要素決定手段と、
を更に備えることを特徴とするデータベースシステム。
【請求項１０】
請求項９に記載のデータベースシステムであって、
前記レポートが、
読影レポート、診断レポート、インシデントレポート、及び営業レポートのうちの少なくとも１つのレポートを含むことを特徴とするデータベースシステム。
【請求項１１】
請求項１０に記載のデータベースシステムであって、
前記複数要素の項目が、
前記レポートが読影レポートである場合、モダリティ、カテゴリ、及び部位のうちの少なくとも１以上の項目を含み、
前記情報要求条件が、
モダリティ、カテゴリ、及び部位のうちの１つの項目に属する要素、またはモダリティ、カテゴリ、及び部位に含まれる一部の項目にそれぞれ属する要素の組合せを示す条件を含むことを特徴とするデータベースシステム。
【請求項１２】
請求項１から請求項１１のいずれかに記載のデータベースシステムであって、
前記要素関連情報が、
前記関連情報に含まれる複数要素のうちの１以上の詳細情報付き要素と当該１以上の詳細情報付き要素に係る１以上の詳細要素とが関連付けられた情報を有し、
前記表示制御手段が、
前記一部関連情報に１以上の詳細情報付き要素が含まれる場合、前記一部関連情報に基づき、前記１以上の詳細情報付き要素に係る１以上の詳細要素が、前記一覧表示において、前記１以上の詳細情報付き要素に対して関連付けられた表示態様で前記表示部において可視的に出力されるように制御することを特徴とするデータベースシステム。
【請求項１３】
データベースシステムに含まれるコンピュータによって実行されることにより、前記データベースシステムを、請求項１から請求項１２のいずれかに記載のデータベースシステムとして機能させるプログラム。
【請求項１４】
データベースシステムにおける情報処理方法であって、
(a)複数の情報要求条件に含まれる各情報要求条件に対して、複数要素の項目における各項目間で当該複数要素の項目にそれぞれ属する各要素が相互に関連付けられた関連情報を含む要素関連情報を記憶した関連情報データベースから一部関連情報を取得する情報取得ルールと、情報取得結果を表示する結果表示画面を生成する画面生成ルールとの組合せがそれぞれ関連付けられたルール設定情報を記憶部に記憶するステップと、
(b)ユーザーによる入力に応答して、前記複数の情報要求条件に含まれる１つの情報要求条件を認識するとともに、前記ルール設定情報において前記１つの情報要求条件に対して関連付けられた情報取得ルールに従って、前記関連情報データベースから一部関連情報を取得するステップと、
(c)前記ルール設定情報において前記１つの情報要求条件に対して関連付けられた画面生成ルールに従って、前記ステップ(b)において取得された一部関連情報に基づき、複数要素の項目にそれぞれ属する各要素が各要素の項目間で相互に関連付けられたネットワーク情報の一覧表示を含む結果表示画面を可視的に出力するステップと、
を備えることを特徴とするデータベースシステムにおける情報処理方法。
【発明の詳細な説明】
【技術分野】
【０００１】
本発明は、データベースシステムに関する。
【背景技術】
【０００２】
過去に蓄積された知識を利用して報告書などの各種レポートを作成する場合、従来は、何らかの方法で過去のレポートを検索してその内容を参照する必要があった。過去のレポートがテンプレートなどを用いて構造化されている場合は検索したレポートの全文を参照する必要はないが、レポート間の関係などについては膨大なデータを参照しながら見出していく必要があった。
【０００３】
例えば、医療機関において、いわゆる読影レポートを作成する際には、フリーフォーマットによって入力を行うと、放射線科の医師個人の癖によって、略語の使用や言い回しなどが大きく異なる。したがって、他の医師にとっては読み辛く、同じ症例についての読影レポートを作成する際に、他の放射線科の医師が作成した読影レポートを参考にして読影レポートを作成するといった作業は困難である。
【０００４】
このような問題に対して、各項目の空欄に対してプルダウン方式で充当する語句を選択するテンプレート表示を用いることで、読影レポートの作成を簡略化するように支援するシステムが提案されている（例えば、特許文献１）。
【０００５】
【特許文献１】特許第３２１２９５７号明細書
【発明の開示】
【発明が解決しようとする課題】
【０００６】
しかしながら、上記特許文献１で提案されている技術では、医師が各項目の空欄に充当したい語句を単に準備するのみで、各項目の空欄に充当すべき語句の組合せなどといった各項目間における語句の関連性などは把握することができない。そのため、過去の知識に基づいて入力の指針を与えるなどといった、過去の知識の有効利用を図ることができず、的確かつ円滑な読影レポートの作成が困難であった。また、各項目の空白に充当すべき選択肢が限られているといった問題点があった。
【０００７】
そして、複数の撮影条件（モダリティ）や複数の患部について、読影レポートを作成する場合を想定すると、過去の知識を有効利用した的確かつ円滑な読影レポートの作成がより困難となることが予測される。
【０００８】
これらの問題は、医療関係のレポート作成のみに限られるものではなく、例えば、営業レポートの作成など、種々のレポート作成一般に共通し、更には、レポート作成だけでなく、状況に応じた行動一般について、行動の指針となる情報を提供する技術一般にも共通する。
【０００９】
本発明は、上記課題に鑑みてなされたものであり、状況に応じて行動の指針となる情報を容易に提供可能な技術を提供することを目的とする。
【課題を解決するための手段】
【００１０】
上記の課題を解決するために、請求項１の発明は、データベースシステムであって、複数要素の項目における各項目間で当該複数要素の項目にそれぞれ属する各要素が相互に関連付けられた関連情報を含む要素関連情報を記憶する関連情報データベースと、複数の情報要求条件に含まれる各情報要求条件に対して、前記関連情報データベースから一部関連情報を取得する情報取得ルールと、情報取得結果を表示する結果表示画面を生成する画面生成ルールとの組合せがそれぞれ関連付けられたルール設定情報を記憶する記憶手段と、ユーザーによる入力に応答して、前記複数の情報要求条件に含まれる１つの情報要求条件を認識するとともに、前記ルール設定情報を参照することで、前記１つの情報要求条件に対応する情報取得ルールと画面生成ルールとを認識する認識手段と、前記認識手段によって認識された情報取得ルールに従って、前記関連情報データベースから一部関連情報を取得する取得手段と、前記認識手段によって認識された画面生成ルールに従って、前記取得手段によって取得された一部関連情報に基づき、複数要素の項目にそれぞれ属する各要素が各要素の項目間で相互に関連付けられたネットワーク情報の一覧表示を含む結果表示画面が表示部において可視的に出力されるように制御する表示制御手段とを備えることを特徴とする。
【００１１】
また、請求項２の発明は、請求項１に記載のデータベースシステムであって、各前記情報要求条件が、前記複数要素の項目に含まれる１つの項目に属する要素、又は前記複数要素の項目に含まれる一部の複数要素の項目にそれぞれ属する要素の組合せを示す条件を含むことを特徴とする。
【００１２】
また、請求項３の発明は、請求項１または請求項２に記載のデータベースシステムであって、前記要素関連情報が、ＲＤＦで記述された情報を含むことを特徴とする。
【００１３】
また、請求項４の発明は、請求項３に記載のデータベースシステムであって、前記取得手段によって取得された一部関連情報が、ＲＤＦで記述された情報を含むことを特徴とする。
【００１４】
また、請求項５の発明は、請求項１から請求項４のいずれかに記載のデータベースシステムであって、前記画面生成ルールが、前記結果表示画面に含まれる表示要素の色、当該表示要素の形状、前記結果表示画面に含まれる文字要素のフォントの種類、前記一覧表示における要素の項目数、及び前記結果表示画面に含まれる表示要素に対して当該表示要素の指定に応じた情報処理を関連付けた内容をそれぞれ示す情報のうちの１以上の情報を含むことを特徴とする。
【００１５】
また、請求項６の発明は、請求項１から請求項５のいずれかに記載のデータベースシステムであって、ユーザーによる入力に応答して、前記複数要素の項目に含まれる全て又は一部の項目にそれぞれ属する要素どうしの各項目間における関連を示す新規な入力情報を受け付ける入力情報受付手段と、前記新規な入力情報に基づき、前記関連情報に対して各項目間における当該各項目にそれぞれ属する要素どうしの関連を示す情報を追加することで、前記関連情報データベースを更新する関連情報更新手段とを更に備えることを特徴とする。
【００１６】
また、請求項７の発明は、請求項６に記載のデータベースシステムであって、前記画面生成ルールが、前記結果表示画面においてユーザーによる入力により前記一覧表示に含まれる少なくとも一項目に対して当該一覧表示に含まれていない新規な要素が入力されることと、当該新規な要素に対して前記少なくとも一項目に属する要素であることを示すマッピング情報が付与されることとが関連付けられた情報を含むことを特徴とする。
【００１７】
また、請求項８の発明は、請求項１から請求項７のいずれかに記載のデータベースシステムであって、ユーザーによる入力に応答して、前記複数の情報要求条件とは異なる新規な情報要求条件に対する、前記関連情報データベースから一部関連情報を取得する情報取得ルールと、情報取得結果を表示する結果表示画面を生成する画面生成ルールとの新規な組合せを示す新規なルール情報を受け付ける新規ルール情報受付手段と、前記新規なルール情報に基づき、前記新規な情報要求条件に対して前記新規な組合せが関連付けられた情報を前記ルール設定情報に対して追加することで、前記ルール設定情報を更新するルール設定情報更新手段とを更に備えることを特徴とする。
【００１８】
また、請求項９の発明は、請求項１から請求項８のいずれかに記載のデータベースシステムであって、前記表示制御手段により前記一覧表示が前記表示部において可視的に出力された状態で、ユーザーによる入力に応答して、前記一覧表示に含まれる各項目に属する要素を当該各項目に対してそれぞれ指定する要素指定手段と、前記要素指定手段によって指定された要素を所定のレポートモデルに沿ったレポートを構成する要素として決定する要素決定手段とを更に備えることを特徴とする。
【００１９】
また、請求項１０の発明は、請求項９に記載のデータベースシステムであって、前記レポートが、読影レポート、診断レポート、インシデントレポート、及び営業レポートのうちの少なくとも１つのレポートを含むことを特徴とする。
【００２０】
また、請求項１１の発明は、請求項１０に記載のデータベースシステムであって、前記複数要素の項目が、前記レポートが読影レポートである場合、モダリティ、カテゴリ、及び部位のうちの少なくとも１以上の項目を含み、前記情報要求条件が、モダリティ、カテゴリ、及び部位のうちの１つの項目に属する要素、またはモダリティ、カテゴリ、及び部位に含まれる一部の項目にそれぞれ属する要素の組合せを示す条件を含むことを特徴とする。
【００２１】
また、請求項１２の発明は、請求項１から請求項１１のいずれかに記載のデータベースシステムであって、前記要素関連情報が、前記関連情報に含まれる複数要素のうちの１以上の詳細情報付き要素と当該１以上の詳細情報付き要素に係る１以上の詳細要素とが関連付けられた情報を有し、前記表示制御手段が、前記一部関連情報に１以上の詳細情報付き要素が含まれる場合、前記一部関連情報に基づき、前記１以上の詳細情報付き要素に係る１以上の詳細要素が、前記一覧表示において、前記１以上の詳細情報付き要素に対して関連付けられた表示態様で前記表示部において可視的に出力されるように制御することを特徴とする。
【００２２】
また、請求項１３の発明は、データベースシステムに含まれるコンピュータによって実行されることにより、前記データベースシステムを、請求項１から請求項１２のいずれかに記載のデータベースシステムとして機能させるプログラムである。
【００２３】
また、請求項１４の発明は、データベースシステムにおける情報処理方法であって、(a)複数の情報要求条件に含まれる各情報要求条件に対して、複数要素の項目における各項目間で当該複数要素の項目にそれぞれ属する各要素が相互に関連付けられた関連情報を含む要素関連情報を記憶した関連情報データベースから一部関連情報を取得する情報取得ルールと、情報取得結果を表示する結果表示画面を生成する画面生成ルールとの組合せがそれぞれ関連付けられたルール設定情報を記憶部に記憶するステップと、(b)ユーザーによる入力に応答して、前記複数の情報要求条件に含まれる１つの情報要求条件を認識するとともに、前記ルール設定情報において前記１つの情報要求条件に対して関連付けられた情報取得ルールに従って、前記関連情報データベースから一部関連情報を取得するステップと、(c)前記ルール設定情報において前記１つの情報要求条件に対して関連付けられた画面生成ルールに従って、前記ステップ(b)において取得された一部関連情報に基づき、複数要素の項目にそれぞれ属する各要素が各要素の項目間で相互に関連付けられたネットワーク情報の一覧表示を含む結果表示画面を可視的に出力するステップとを備えることを特徴とする。
【発明の効果】
【００２４】
請求項１から請求項１４のいずれに記載の発明によっても、複数要素の項目における各項目間で当該複数要素の項目にそれぞれ属する各要素が相互に関連付けられた関連情報を含む要素関連情報が記憶されたデータベースから一部の関連情報を取得する場合、相互に異なる各情報要求条件に対してそれぞれ情報取得ルールと情報の取得結果を表示する画面を生成する画面生成ルールとの組合せを関連付けたルール設定情報を準備しておき、ユーザーによって指定された情報要求条件に対応する情報取得ルール及び画面生成ルールに従って、データベースから一部の関連情報を取得するとともに、当該一部の関連情報に基づいて、複数要素の項目にそれぞれ属する各要素が各要素の項目間で相互に関連付けられたネットワーク情報の一覧表示を含む結果表示画面を可視的に出力するような構成を採用することで、状況に応じて行動の指針となる情報を容易に提供することができる。
【００２５】
また、請求項２に記載の発明によれば、情報要求条件が、複数要素の項目に含まれる１つの項目に属する要素、又は複数要素の項目に含まれる一部の複数要素の項目にそれぞれ属する要素の組合せを示す条件を含むような構成を採用することで、データベースからある程度絞り込まれた一部の関連情報を容易に提供することができるため、状況に適した情報に絞り込んで表示することができる。
【００２６】
また、請求項３に記載の発明によれば、要素関連情報がＲＤＦで記述されているため、容易に要素関連情報などを記述することができる。
【００２７】
また、請求項４に記載の発明によれば、ＲＤＦで記述された要素関連情報からＲＤＦで記述された一部の関連情報を取得するため、取得後の一部の関連情報などを容易に記述することができる。
【００２８】
また、請求項５に記載の発明によれば、情報取得結果を示す結果表示画面を生成する画面生成ルールに対して、結果表示画面に含まれる表示要素の色、当該表示要素の形状、結果表示画面に含まれる文字要素のフォントの種類、結果表示画面に含まれる一覧表示における要素の項目数、及び結果表示画面に含まれる表示要素に対して当該表示要素の指定に応じた情報処理を関連付けた内容をそれぞれ示す情報のうちの１以上の情報を含ませることで、細かな状況に応じた結果表示画面を生成することができる。
【００２９】
また、請求項６に記載の発明によれば、ユーザーによって入力される情報に基づいて、各項目間における要素どうしの関連付けを示す新規な情報を追加することでデータベースを更新するため、時を経る毎に変化する知識を有効に生かして、状況に応じた行動の指針となる情報を容易に提供することができる。
【００３０】
また、請求項７に記載の発明によれば、結果表示画面においてユーザーによる入力により一覧表示に含まれるある項目に対して当該一覧表示に含まれていない新規な要素が入力されることと、当該新規な要素に対して、ある項目に属する要素であることを示すマッピング情報が付与されることとが関連付けられているような構成を採用することで、結果表示画面において、ある要素の項目に対して新規な要素が入力された場合に、新規な要素がどの項目に属する要素であるかを示す情報が付与されるため、各項目間における要素どうしの関連付けを示す新規な情報を容易に追加することができる。
【００３１】
また、請求項８に記載の発明によれば、ユーザーの入力に応答して、新規な情報要求条件に対して、情報取得ルールと画面生成ルールとの新規な組合せが関連付けられた情報を、ルール設定情報に追加するような構成を採用することで、状況に応じた情報の取得及び表示態様のバリエーションを増やすことができるため、更に状況に応じた行動の指針となる情報を容易に提供することができる。
【００３２】
また、請求項９に記載の発明によれば、一部の関連情報に係る一覧表示において、ユーザーが各項目に対してそれぞれ要素を指定すると、指定された要素を所定のレポートモデルに沿ったレポートを構成する要素として入力するような構成を採用することで、ユーザーは、レポートを構成する要素を容易に入力することができる。
【００３３】
また、請求項１０に記載の発明によれば、一部の関連情報に係る一覧表示において、ユーザーが各項目に対してそれぞれ要素を指定すると、読影レポート、診断レポート、インシデントレポート、及び営業レポートのうちの少なくとも１つのレポートを構成する要素を入力することができるような構成を採用することで、過去の知識を利用しつつ、状況に応じて、種々のレポートを容易に作成することができる。
【００３４】
また、請求項１２に記載の発明によれば、要素関連情報に対して、関連情報に含まれる複数要素のうちの１以上の詳細情報付き要素と当該１以上の詳細情報付き要素に係る１以上の詳細要素とが関連付けられた情報を含ませておき、一部の関連情報に１以上の詳細情報付き要素が含まれる場合には、一部の関連情報に係る一覧表示において、１以上の詳細情報付き要素に対して１以上の詳細要素が関連付けられた表示態様で可視的に出力されるような構成を採用することで、状況に応じた詳細な情報も容易に提供することができる。
【００３５】
また、請求項１３に記載の発明によれば、請求項１から請求項１２に記載の発明と同様な効果を得ることができる。
【発明を実施するための最良の形態】
【００３６】
以下、本発明の実施形態を図面に基づいて説明する。
【００３７】
＜データベースシステムの概要＞
図１は、本発明の実施形態に係るデータベースシステム１の概要を示す図である。
【００３８】
データベースシステム１は、例えば、病院内で診療情報を管理・処理するためのシステムであり、ＬＡＮ等のネットワーク回線ＮＴＷに、サーバ１００、及び端末１０，２０が相互にデータ送受信可能に接続されている。また、サーバ１００には、記憶部２００がデータ送受信可能に接続され、更に、ネットワーク回線ＬＮを介して端末３０〜５０がデータ送受信可能に接続されている。
【００３９】
記憶部２００は、診療対象である多数の患者に係る医療情報（以下「診療情報」とも称する）を記憶する診療情報データベース（ＤＢ）２１０を格納している。
【００４０】
診療情報ＤＢ２１０には、各患者について放射線科で放射線撮影によって得られた複数の画像データ（画像情報）と、当該複数の画像データについての読影レポートを示すデータ（読影レポート情報）とが、各患者の属性（患者ＩＤ、患者氏名、生年月日、年齢、性別等）と関連付けられて格納されている。つまり、ここでは、診療情報ＤＢ２１０は、多数の読影レポート情報が格納されたデータベース（レポートＤＢ）となっている。
【００４１】
また、診療情報ＤＢ２１０には、多数の患者についての検査の一覧を示すリスト（検査リスト）の情報（検査リスト情報）が格納される。検査リスト情報には、例えば、検査毎にＤＩＣＯＭ属性が付与されており、その中には、モダリティや検査部位等に係る情報が含まれている。更に具体的には、検査リスト情報には、例えば、各検査に係る患者の属性（患者ＩＤ、患者氏名、生年月日、年齢、性別）、読影レポートを作成したか否かを示す状態、検査を特定する検査ＩＤ、検査日、検査対象にあたる部位、撮影条件を示すモダリティ、及び撮影枚数をそれぞれ示す情報が含まれている。そして、診療情報ＤＢ２１０では、担当医からのオーダーリング（依頼事項）や検査の詳細（患者や検査に係る情報）を示す属性情報が検査ＩＤと関連付けられて格納されている。
【００４２】
サーバ１００は、診療情報ＤＢ２１０に対する各種情報の書き込み／読み出しを行うとともに、診療情報ＤＢ２１０に格納される各種情報に基づいた情報処理を行う。サーバ１００における情報処理は、端末１０〜５０に搭載されたデータ管理機能によって適宜管理される。
【００４３】
データベースシステム１では、例えば、端末１０，２０が患者の担当医が使用する端末、端末３０が放射線科の読影医が読影レポートを入力する端末（レポート入力装置）３０、及び端末４０，５０が放射線科の技師が使用する端末である。
【００４４】
端末１０，２０から放射線科の端末４０，５０に対してオーダーが入ると、放射線科の技師がＭＲ装置やＣＲ装置等を用いて患部の画像データを取得する。当該患部の画像データは、端末４０，５０からサーバ１００を介して診療情報ＤＢ２１０に格納される。その後、放射線科の医師が、レポート入力装置３０において、診療情報ＤＢ２１０に格納されている画像データを可視的に出力させた画面を参照しつつ読影レポートを入力する。
【００４５】
サーバ１００は、診療情報ＤＢ２１０に既に格納されている読影レポート（既存読影レポート）を利用して、新規な読影レポートの入力を支援する情報（入力支援情報）を作成し、当該入力支援情報から必要な情報を取得（抽出）してテンプレート表示の形でレポート入力装置３０に提供する。なお、サーバ１００において新規な読影レポートの入力を支援する機能を以下「入力支援機能」（後述）とも称する。
【００４６】
図２は、データベースシステム１における入力支援機能に係る情報処理内容の概要を示す図である。
【００４７】
診療情報ＤＢ２１０には、撮影された画像や作成された読影レポートを示すデータが保管されている。レポート入力装置３０は、診療情報ＤＢ２１０から読影対象の画像データを取得し、読影レポートを示すデータを作成する装置である。そして、サーバ１００が、診療情報ＤＢ２１０から既存の読影レポートを示すデータを読み出して、解析機能によって解析することで、読影レポートの作成・入力を支援する情報（入力支援情報）が作成され、入力支援ＤＢ１１１に格納される。レポート入力装置３０では、入力支援情報を利用して、新規な読影レポートの入力が行われる。また、新たに作成された読影レポートを示すデータは、診療情報ＤＢ２１０に追加されるとともに、入力支援ＤＢ１１１に格納される入力支援情報の補強に使用される。
【００４８】
図３は、レポート入力装置３０において新規な読影レポートを入力する状態を例示する図である。図３に示すように、レポート入力装置３０では、放射線科の読影医が、診療情報ＤＢ２１０に格納される患者の画像データを可視的に出力した画面（画像表示画面）Ｍ１，Ｃ１を適宜参照しつつ、読影レポートの入力画面４０１において新規な読影レポートを入力する。
【００４９】
＜入力支援機能＞
入力支援機能は、診療情報ＤＢ２１０に格納された多数の読影レポートを過去の知識として、当該多数の読影レポートから、新規な読影レポートの入力に必要な要素を抽出してＲＤＦ(Resource Description Framework)等を利用して構造化することで、入力支援情報を作成し、適宜提示等を行う機能を有する。
【００５０】
入力支援機能によって実現される動作は、主に、入力支援情報を作成する動作（支援情報作成動作）、入力対象の新規な読影レポートに対応する検査の選択に係る動作（検査選択動作）、及び入力支援情報に基づいて新規な読影レポートの入力を実際に支援する動作（入力支援動作）の３つの動作を備えて構成される。
【００５１】
＜機能構成＞
図４は、データベースシステム１のうち入力支援機能及び入力支援機能を利用した新規な読影レポートの入力に係る機能構成を示すブロック図である。図４で示す機能構成のうち、制御部１２０，３１の備える機能は、サーバ１００、及び端末（レポート入力装置）３０において、それぞれハードディスク等によって構成される記憶部１１０，３４に格納されたプログラムをＣＰＵ等によって構成される制御部１２０，３１で実行することによって、実現される機能を概念的に示すものである。なお、当該機能構成で実行される各種情報処理において一時的に記憶される各種データは、例えば、制御部１２０，３１にそれぞれ内蔵されているＲＡＭ等に適宜一時記憶される。
【００５２】
サーバ１００は、主に、記憶部１１０と制御部１２０とを備えて構成される。
【００５３】
記憶部１１０は、サーバ１００における各種制御や機能などを実現するための各種プログラムや各種データを格納している。例えば、記憶部１１０は、入力支援ＤＢ１１１と設定ファイルデータベース（ＤＢ）１１２とを記憶している。
【００５４】
入力支援ＤＢ１１１には、支援情報作成動作によって作成された入力支援情報が格納される。入力支援情報の具体的な内容については後述する。
【００５５】
設定ファイルＤＢ１１２には、入力支援ＤＢ１１１からの情報を要求する複数の条件（複数の情報要求条件）に含まれる各情報要求条件に対して、入力支援ＤＢ１１１から一部の情報を取得するルール（以下「情報取得ルール」とも称する）と、当該一部の情報を取得した結果（以下「情報取得結果」とも称する）を表示する画面（以下「結果表示画面」とも称する）を生成するルール（以下「画面生成ルール」とも称する）との組合せを格納したファイル（設定ファイル）がそれぞれ関連付けられた情報（以下「ルール設定情報」とも称する）が記憶されている。
【００５６】
制御部１２０は、サーバ１００の各種制御や機能などを統括制御するものであり、データ読込部１２１、検査済判定部１２２、データ構築部１２３、設定ファイル認識部１２４、支援情報検索部１２５、設定ファイル更新部１２６、レポート構成部１２７、及びデータ書込部１２８を機能として備えている。
【００５７】
データ読込部１２１は、診療情報ＤＢ２１０から、読影レポートを示す情報（読影レポート情報）と、当該読影レポート情報に対応する属性情報（例えば、依頼事項、患者属性、及び検査属性に係る情報）と、検査の一覧を示す情報（検査リスト情報）とを読み込む。そして、データ読込部１２１は、支援情報作成動作、及び入力支援動作においては、読影レポート情報と属性情報と検査リスト情報とを検査済判定部１２２に送出し、検査選択動作においては、検査リスト情報をレポート入力装置３０の制御部３１に送出する。
【００５８】
検査済判定部１２２は、検査リスト情報を参照することで、各検査の読影レポートについて所見文等を書き込んで読影レポートが作成されているか否かを判定する。そして、検査済判定部１２２は、支援情報作成動作においては、作成済みの読影レポート情報（すなわち検査済みの読影レポート情報）を属性情報とともにデータ構築部１２３に送出し、入力支援動作においては、未完成の読影レポート情報（すなわち未検査の読影レポート情報）を属性情報とともにレポート入力装置３０の制御部３１に送出する。
【００５９】
データ構築部１２３は、複数の読影レポートを対象として、読影レポートを構成する自然文である所見文から必要な要素を抽出するとともに、属性情報に含まれる各種要素も抽出し、ＲＤＦを利用して構造化を行うことで、入力支援情報を作成して、入力支援ＤＢ１１１を構築する。ここで作成される入力支援情報は、所見文を構成する複数要素の項目に含まれる各項目間で、当該複数要素の項目にそれぞれ属する各要素が相互に関連付けられた情報（以下「関連情報」とも称する）を含む情報（以下「要素関連情報」とも称する）となっている。
【００６０】
設定ファイル認識部１２４は、ユーザーが操作部３２を種々操作することによって入力される信号に応答して、設定ファイルＤＢ１１２に格納されたルール設定情報に含まれる複数の情報要求情報のうちの１つの情報要求条件を認識する。そして、設定ファイル認識部１２４は、設定ファイルＤＢ１１２に格納されたルール設定情報を参照することで、認識された１つの情報要求条件に対応する情報取得ルールと画面生成ルールとの組合せを格納した設定ファイルを認識して採用する。
【００６１】
支援情報検索部１２５は、設定ファイル認識部１２４によって認識された設定ファイルに係る情報取得ルールに従って、入力支援ＤＢ１１１に格納される要素関連情報から一部の関連情報（以下「一部関連情報」とも称する）を取得する。なお、ここでは、情報取得ルールは、入力支援ＤＢ１１１に格納される要素関連情報から一部関連情報を取得する手法を規定するルールとなっている。
【００６２】
また、支援情報検索部１２５は、設定ファイル認識部１２４によって認識された設定ファイルに係る画面生成ルールに従って、一部関連情報に基づき、複数要素の項目にそれぞれ属する各要素が各項目間で相互に関連付けられた情報（ネットワーク情報）の一覧表示を含む結果表示画面に係るデータ（結果表示画面データ）を生成し、制御部３１に対して出力する。なお、ここでは、画面生成ルールは、情報取得の結果物にあたる一部関連情報の一覧表示を提示する画面を生成する手法を規定するルールとなっている。
【００６３】
設定ファイル更新部１２６は、設定ファイルＤＢ１１２に予め記憶されていた複数の情報要求条件とは異なる新規な情報要求条件に対応する情報取得ルールと画面生成ルールとの新規な組合せを格納した新たな設定ファイルを、設定ファイルＤＢ１１２に追加する。具体的には、ユーザーが操作部３２を種々操作することで入力される信号に応答して、設定ファイルＤＢ１１２に格納されるルール設定情報には含まれていない新規な情報要求条件に対する情報取得ルールと画面生成ルールとの新規な組合せを示す新規な情報（新規なルール情報）が制御部３１で受け付けられる。そして、制御部３１から新規ルール情報が設定ファイル更新部１２６に転送され、設定ファイル更新部１２６が、新規ルール情報に基づき、新規な情報要求条件に対して新規なルールの組合せが関連付けられた情報を、設定ファイルＤＢ１１２に格納されたルール設定情報に対して追加することで、ルール設定情報が更新される。
【００６４】
なお、設定ファイル更新部１２６の機能による設定ファイルＤＢ１１２の更新は、ルール設定情報に対して、新規な情報要求情報についての新規なルールの組合せを追加する態様だけに拘わらず、例えば、設定ファイルＤＢ１１２において既に格納されているルールの組合せや情報要求条件の内容を変更するようなものでも良い。
【００６５】
レポート構成部１２７は、入力支援動作において、ユーザーによる操作部３２の操作に応じて構造化データの形式で制御部３１から入力される新規なレポートデータ（以下「構造化レポートデータ」とも称する）を受け付けて、当該構造化レポートデータに基づき、所定のルールに沿った新規な読影レポート情報を生成する。
【００６６】
データ書込部１２８は、レポート構成部１２７で生成された読影レポート情報を診療情報ＤＢ２１０に追加する。
【００６７】
レポート入力装置３０は、主に、制御部３１、操作部３２、表示部３３、及び記憶部３４を備えて構成される。
【００６８】
制御部３１は、レポート入力装置３０の各種制御や機能などを統括制御するものであり、タスク管理部３１１、及び表示制御部３１２を機能として備えている。
【００６９】
タスク管理部３１１は、新規な読影レポートを入力する対象となる検査（レポート入力対象検査）が選択されると、レポート入力対象検査に対応する新規な読影レポートの作成に係るタスクを特定する。
【００７０】
表示制御部３１２は、サーバ１００から入力される各種情報等に基づいて、表示部３３において、各種画面を可視的に出力させる。例えば、支援情報検索部１２５から入力される結果表示画面データに基づいて結果表示画面を表示部３３において可視的に出力させる。
【００７１】
操作部３２は、キーボードやマウス等を備えて構成され、ユーザーによって適宜操作されることで、各種信号を制御部３１に対して出力する。
【００７２】
表示部３３は、液晶ディスプレイ等の各種ディスプレイによって構成され、例えば、支援情報検索部１２５において生成された結果表示画面データを表示制御部３１２による制御に応じて可視的に出力する。
【００７３】
記憶部３４は、レポート入力装置３０における各種制御や機能などを実現するための各種プログラムや各種データを格納している。
【００７４】
以下、図４を参照しつつ、入力支援機能によって実現される主な３動作である支援情報作成動作、検査選択動作、及び入力支援動作について順次説明する。
【００７５】
＜支援情報作成動作＞
まず、データ読込部１２１が、診療情報ＤＢ２１０から、読影レポート情報と、当該読影レポート情報に対応する属性情報と、検査リスト情報とを読み込み、検査済判定部１２２に送出する。検査済判定部１２２が、検査リスト情報を参照することで、各検査について読影レポートが作成されているか否かを判定し、作成済みの読影レポート情報を属性情報とともにデータ構築部１２３に送出する。そして、データ構築部１２３が、読影レポートの自然文である所見文から必要な要素を抽出するとともに、属性情報に含まれる各種要素も抽出し、ＲＤＦを利用して構造化を行う。この読影レポートの要素の構造化は、例えば機械学習を利用して実現される。
【００７６】
以下、データ構築部１２３における機械学習及び読影レポートの構造化について説明する。
【００７７】
まず、例えば、教師データとして学習用コーパス等が与えられることで、構造化の基準となる情報を学習する。
【００７８】
学習用コーパスは、読影レポートの所見文の形式（文章モデル）に準じた大量のテキストデータを含む。この文章モデルは、例えば、撮影条件→部位→基本所見（特徴−結語）→診断１（診断−結語）→診断２（診断−結語）といった具合に、読影レポートの所見文の構成を示すものである。そして、学習用コーパスでは、例えば、読影レポートのモデル（「レポートモデル」とも称する）に含まれる所見文の文章モデルを構成する各要素の分類項目名が各語句にタグ付けされている。
【００７９】
例えば、要素の分類項目としては「診断内容のカテゴリ（以下「カテゴリ」と略す）」「撮影条件」「部位」「基本所見」「概略診断内容（以下「診断１」と略す）」、及び「詳細診断内容（以下「診断２」と略す）」等が挙げられる。
【００８０】
そして、学習用コーパスでは、例えば、「脳梗塞」「虚血性変化」・・・等の語句に対して要素の分類項目名「カテゴリ」がタグ付けされている。「Ｔ１画像」「Ｔ２画像」・・・等の語句に対して要素の分類項目名「撮影条件」がタグ付けされている。「前頭葉」「側頭葉」・・・等の語句に対して要素の分類項目名「部位」がタグ付けされている。「点状、斑状の高信号域」「点状の高信号域」・・・等の語句に対して要素の分類項目名「基本所見」がタグ付けされている。「陳旧性脳梗塞」「広範な陳旧性脳梗塞」・・・等の語句に対して要素の分類項目名「診断１」がタグ付けされている。「血栓性梗塞」「塞栓性梗塞」・・・等の語句に対して要素の分類項目名「診断２」がタグ付けされている。
【００８１】
なお、このような学習用コーパスがデータ構築部１２３に対して外部から与えられる際に、後述する新規な読影レポートを作成するために、結語をある程度特定した代表的な文章モデルを示すデータも外部から与えられる。
【００８２】
データ構築部１２３の機械学習機能は、学習用コーパスから語句を抜き出し、対応する要素の分類項目毎にそれぞれ記憶する。つまり、データ構築部１２３では、学習用コーパスを含む教師データを学習教材とし、教師データを参照して要素の分類項目毎に各要素の分類項目に属する語句を学習して記憶する。ここで、学習されて記憶されるデータは、既存読影レポートを構成する各要素をどのような要素の分類項目に分解するのかを示すモデルのデータ（モデルデータ）として使用される。
【００８３】
更に、データ構築部１２３の識別機能は、上述の如く学習されたモデルデータを基準としつつ、公知のＳＶＭ（Support Vector Machine）を用いて、データ構築部１２３に入力される読影レポートを対象として、要素の分類項目と実際に使用されている語句とを識別する。
【００８４】
なお、上述した機械学習の方法を用いると、予め教師データにおいて与えられた要素（ここでは、語句）についてしか、要素の分類項目を識別することができないが、以下の機械学習の方法を利用することで、予め教師データで与えられていなかった要素についても、要素の分類項目を識別することができる。
【００８５】
例えば、データ構築部１２３の機械学習機能が、学習用コーパスを形態素解析によって形態素に分解し、形態素毎に、形態素そのもの、形態素の品詞、形態素の活用形、前後（例えば前後２つ）の形態素の情報等を用いて、ある分類項目に属する形態素が出現するパターンを学習する。そして、データ構築部１２３の識別機能が、当該パターンに従って、予め与えられていなかった要素（ここでは語句）についても、要素の分類項目を認識することができる。
【００８６】
より具体的には、例えば、データ構築部１２３の機械学習機能は、学習用コーパスに「**に沿って」（「**」部には種々の語が入る）といった形の文が頻出する場合に、「**」の部分に部位を示す語句が頻出するときには、「**」の部分には部位を示す語句が入るというパターンを学習することができる。そして、データ構築部１２３の識別機能は、このようなパターンを利用すれば、既存読影レポートを対象として、語の前後関係からフレーズ「下垂体／に／沿って」から「下垂体」を部位を示す語句として抽出することができる。なお、上記機械学習は、いわゆるＳＶＭ（Support Vector Machine）を利用することで実現することができる。このような機械学習によって自然言語処理の精度が向上する。
【００８７】
そして、データ構築部１２３に含まれるデータ構造化機能では、識別機能によって識別された情報に基づき、読影レポート情報及び属性情報に含まれる各種情報を、要素の分類項目毎に属する語句（要素）に分解してＲＤＦで記述することで、読影レポートに係る情報を構造化する。
【００８８】
図５は、１つの読影レポートの要素（既存読影レポートの属性情報を構成する要素も含む）が構造化されたデータ（以下「単レポート構造化データ」とも称する）を例示する図である。図５に示すように、読影レポートのファイル「Ａ−０００１」に対して、ＲＤＦによって、要素の分類項目「カテゴリ」「撮影条件」「部位」「基本所見」「診断１」「診断２」をそれぞれ属性の項目とし、各属性に対して属性値「脳梗塞」「Ｔ２、ＲＬＡＩＲ画像」「前頭葉」「高信号域」「急性期脳梗塞」「前大脳動脈の閉塞」がぞれぞれ関連付けられて記述されている。また、属性情報に係る属性の項目「検査部位」「患者」「読影医師」「モダリティ」に対して「頭部（ＳＫＵＬＬ）」「特許太郎」「特許花子」「ＭＲ」がそれぞれ関連付けられ、更に、患者の属性に対して、属性の項目「性別」及び「年齢」について「Ｍ」と「５３」とがそれぞれ関連付けられて記述されている。なお、単レポート構造化データにおいて関連付けの対象となる属性の項目（属性項目）は、図５で示したものに限られず、例えば、検査属性の情報に含まれる他の属性項目を含めても良い。
【００８９】
また、データ構築部１２３では、図５で示したような単レポート構造化データを、機械学習機能、識別機能、及びデータ構造化機能によって、診療情報ＤＢ２１０に格納された多数の検査済み読影レポート情報についてそれぞれ作成する。
【００９０】
そして、データ構築部１２３では、各単レポート構造化データにおいて１つのファイルに対して関連付けられている複数の属性値を、属性項目毎に並べて相互に関連付け直してＲＤＦで記述する処理を、多数の単レポート構造化データの全てについて行う。そして、この処理の結果として、複数の属性項目に含まれる属性項目毎に複数の属性値（ここでは、語句）が列挙されるとともに、属性項目間で、属性値どうしが相互に（ネットワーク状に）関連付けられた関連情報（以下「ネットワーク情報」とも称する）が作成される。このネットワーク情報は、所定の記憶部１１０に記憶されることで、読影レポートの入力を支援する情報（入力支援情報）とされ、データベース（入力支援ＤＢ）１１０が構築される。なお、ここでは、ＲＤＦを利用することで、ネットワーク情報を容易に記述することができる。
【００９１】
図６は、多数の既存読影レポートに係る要素が構造化された例を示す図であり、検査部位「頭部（ＳＫＵＬＬ）」についてのネットワーク情報を例示している。図６では、関連付けられた語句どうしを線で結んで示している。なお、図６では、図の複雑化を避けるために、語句を適宜「○○○」等と記載するとともに、関連付けを示す線も図中の比較的上部に位置するものを例示して、その他の線は省略している。
【００９２】
また、データ構築部１２３で、ネットワーク情報を作成する際には、各単レポート構造化データにおいて関連付けられた各項目間における語句の組合せの回数をカウントし、当該カウント情報を、入力支援ＤＢ１１１に格納しておく。例えば、「頭部−ＭＲ−Ｍ−脳梗塞−Ｔ２，ＦＬＡＩＲ像−前頭葉−高信号域−急性期脳梗塞−前大動脈の閉塞」等といった語句の組合せの回数がカウント情報に記憶される。
【００９３】
入力支援ＤＢ１１１に格納されるネットワーク情報では、既存読影レポートにおいて、どのような語句がそれぞれ記述されたのかを、属性項目間で、語句どうしが関連付けられた態様で示される。そのため、当該ネットワーク情報を可視的に出力して、新規な読影レポートを入力する際に利用すると有効である。特に、各属性項目を入力する要素の項目（入力要素項目）とし、各属性項目に列挙される複数の語句を入力する候補（選択肢）として、テンプレート表示の形態で提供すれば有効である。
【００９４】
ところで、入力支援ＤＢ１１１に格納されるネットワーク情報では、各属性項目に列挙される語句について、同義語（例えば「Ｔ２強調画像」と「Ｔ２Ｗ１」等）が多いと、選択肢が増大し過ぎて、選択肢の指定が困難となる。そこで、同義語については、データ構築部１２３の識別機能で、語句を検出する際に、代表的な１つの語句に置き換える処理を行う。また、属性項目に「結語」等がある場合には、結語等の表現の振れ（例えば「考える」と「考えます」等）が多いと選択肢が増大し過ぎて、選択肢の指定が困難となる。そこで、表現の振れについて、データ構築部１２３の識別機能で、結語を検出する際に、代表的な１つの表現に置き換える処理を行う。
【００９５】
このような語句の代表的な語句への置き換えについては、教師データに、複数の語句と代表的な語句とを対応付けたテーブルを含ませることで、実現することができる。なお、表現の振れについては、表現の振れを正規化して、最も使用頻度の高いものに全て置き換えても良い。また、同義語についても最も使用頻度の高いものに全て置き換えても良い。
【００９６】
また、読影レポートでは、属性項目「部位」について、大分類、小分類、接頭語（接頭辞）、及び接尾語（接尾辞）が複合したフレーズ（部位フレーズ）を用いる場合が多い。例えば、部位フレーズ「右前頭葉の白質」は、大分類「前頭葉」、小分類「白質」、接頭語「右」が複合したものである。
【００９７】
このように、部位フレーズ（例えば「右前頭葉」「左前頭葉」「前頭葉白質」「前頭葉皮質下」「前頭葉皮質下白質」等）は、大分類、小分類、接頭語、及び接尾語による多数の組合せによって構成されるため、選択肢が増大し過ぎて、選択肢の指定が困難となる。そこで、属性項目「部位」については、部位フレーズを構成する要素を４つの要素の項目「大分類」「小分類」「接頭語」「接尾語」に分解する。
【００９８】
この構成要素を４要素の項目に分解する処理は、各要素の項目に属する言語要素を列挙したモデルを基準として公知のＳＶＭ等を用いることで実現される。なお、ここで使用するモデルは、例えば、多数の部位フレーズが列挙されたコーパスを含む教師データを用いた機械学習によって得ることができる。なお、このコーパスでは、部位フレーズを構成する多数の言語要素に対して項目名がそれぞれタグ付けされている。
【００９９】
そして、ネットワーク情報における属性項目「部位」について、ある大分類の用語に係る部位フレーズを当該大分類の用語に置換する。このとき、ネットワーク情報とは別に、図７に示すように、大分類の用語に対して、部位フレーズを形成するために複合する小分類の用語、接頭語、及び接尾語といった詳細な要素をＲＤＦの記述によって関連付けた情報（詳細情報）を構成する。換言すれば、詳細情報は、詳細な要素が関連付けられた要素（詳細情報付き要素）と、詳細な要素（詳細要素）とが関連付けられた構造化データ（詳細情報構造化データ）を形成している。
【０１００】
具体的には、図７では、詳細情報付き要素である大分類の用語「前頭葉」に対して、詳細要素の項目「接頭語」に属する詳細要素「なし」「右」「左」「両方」が関連付けられるとともに、詳細要素の項目「小分類」に属する詳細要素「灰白質」「皮質」「皮質下」「皮質下白質」が関連付けられている。
【０１０１】
なお、例えば、部位フレーズ等といったある項目に属するフレーズも、当該ある項目に属する要素に当たる大分類の用語に対する詳細な要素に該当する。よって、以下で言う「詳細要素」には、小分類の用語、接頭語、及び接尾語等といったフレーズを構成する詳細な要素が含まれるが、適宜、複数の詳細な要素が結合した結果物であるフレーズも含まれるものとして説明を行う。
【０１０２】
また、ネットワーク情報とカウント情報と詳細情報とは、複数の項目間における複数の項目にそれぞれ属する要素（ここでは、語句）どうしの関連付けを示す情報であるため、適宜「要素関連情報」と称する。また、カウント情報は、１以上の詳細要素も含む複数の要素間の関連付けの強さを示す情報（「関連強度情報」とも称する）となっている。
【０１０３】
図８は、支援情報作成動作の動作フローを示すフローチャートである。本動作フローは、サーバ１００の制御部１２０において、入力支援機能を実現するためのプログラムが実行されることで実現される。
【０１０４】
ステップＳＴ１では、データ読込部１２１及び検査済判定部１２２によって、診療情報ＤＢ２１０から、読影レポートを示すデータが属性情報とともに読み込まれる。
【０１０５】
ステップＳＴ２では、データ構築部１２３の機能によって、読影レポートが構造化される。
【０１０６】
ステップＳＴ３では、構造化された読影レポートに属性情報が追加されて、図５に示すような単レポート構造化データが作成される。
【０１０７】
ステップＳＴ４では、診療情報ＤＢ２１０に格納されている全ての読影レポートについて単レポート構造化データが作成されたか否か判定する。ここで、全ての読影レポートについて単レポート構造化データが作成されていない場合には、ステップＳＴ１に戻り、次の読影レポートを示すデータ等が読み込まれて単レポート構造化データが作成される。また、全ての読影レポートについて単レポート構造化データが作成された場合には、ステップＳＴ５に進む。
【０１０８】
ステップＳＴ５では、全ての読影レポートについての単レポート構造化データに基づいて、ネットワーク情報が作成され、本動作フローが終了する。このとき、ネットワーク情報及びカウント情報を含む要素関連情報が作成され、入力支援ＤＢ１１１に格納される。
【０１０９】
ところで、診療情報ＤＢ２１０に蓄積される読影レポートは、レポート入力装置３０からの入力に応じて新たな読影レポートが作成される度に増加する。この時間とともに更に蓄積されていく読影レポートも過去の知識として利用できれば有効である。特に、これまでにない所見文等が新たに蓄積された読影レポートに含まれる場合には、過去の知識が更に進化するため、より有効である。この点については後述するが、入力支援動作（後述）において、読影レポートの所見文を構成する各要素の項目毎に実際に入力する要素が指定されることに応答して、過去の知識が進化する。
【０１１０】
このようにして入力支援ＤＢ１１１が構築されるが、モダリティや検査部位等の条件が異なると、入力支援ＤＢ１１１に格納される属性項目の種類が異なったり、読影レポートの作成を支援するテンプレート表示において提示すべき入力要素項目の数や種類が異なる場合が想定される。例えば、検査部位「頭部（ＳＫＵＬＬ）」とモダリティ「ＭＲ」との組合せに対しては、「部位」「基本所見」「診断」の３項目が入力要素項目であり、別の検査部位とモダリティの組合せでは、「撮影条件」「部位」「基本所見」「診断」の４項目が入力要素項目である場合が想定される。
【０１１１】
更に、ある項目については、要素（選択肢）を排他的に選択する事が必須であったり、複数の要素（選択肢）の選択が可能であったりと、テンプレート表示の果たす機能が異なる場合も想定される。例えば、以下（ｉ）,（ii）の２つの場合が想定される。（ｉ）検査部位「頭部（ＳＫＵＬＬ）」とモダリティ「ＭＲ」との組合せに対して「部位」「基本所見」「診断」の３つの入力要素項目が提示され、項目「部位」については複数の要素を選択でき、項目「基本所見」「診断」については１つの要素を排他的に選択することしかできない。（ii）検査部位「胸部（ＣＨＥＳＴ）」とモダリティ「ＣＲ」との組合せに対して「撮影条件」「部位」「基本所見」「診断」の４つの入力要素項目が提示される場合、項目「撮影条件」については１つの要素を排他的に必ず選択しなければならないが、項目「部位」については複数の要素を選択することができ、項目「基本所見」「診断」については１つの要素を排他的にしか選択することができない。
【０１１２】
また、例えば、いずれの条件についても、テンプレート表示において、ユーザーの指示に応答して、項目「部位」について接頭語や接尾語の入力が可能な画面が表示され、項目「基本所見」について修飾語等の特徴語を入力することができる画面が表示され、他の項目については詳細な追記情報を入力することができる画面は表示されないような場合も想定される。
【０１１３】
このように、例えば、異なる検査部位とモダリティとの組合せ等といった条件によって、入力支援ＤＢ１１１から情報を取得するルール（情報取得ルール）と、テンプレート表示の画面を生成するルール（画面生成ルール）との異なる組合せが要求される場合が想定される。
【０１１４】
このような問題に対しては、通常、各条件毎に別のアプリケーションを提供する手法が考えられるが、この手法では、各アプリケーションの開発コスト等によってコストが上昇したり、アプリケーションに係るプログラムを記憶するために記憶容量を確保しなければならない等といった問題を招いてしまう。
【０１１５】
そこで、データベースシステム１では、各条件毎に情報取得ルールと画面生成ルールとの組合せを格納した設定ファイルを設定ファイルＤＢ１１２の形で準備しておき、ユーザーの指示に応じて設定ファイルを適宜切り替えることで、１つのアプリケーションにより、複数の条件に対して、入力支援ＤＢ１１１からの情報の取得とテンプレート表示の画面の生成とを実現している。
【０１１６】
なお、設定ファイルの切り替えについては後述するが、データベースシステム１では、例えば、後述する検査選択動作において、項目「検査部位」に属する要素と項目「モダリティ」に属する要素とが指定された場合には、２項目「検査部位」「モダリティ」にそれぞれ属する要素の組合せの条件に応じて設定ファイルが切り替えられる。
【０１１７】
＜検査選択動作＞
次に、レポート入力装置３０において、検査リストを示す画面（検査一覧画面）を表示させて、レポート入力対象検査を選択する動作（検査選択動作）について説明する。
【０１１８】
なお、検査選択動作は、入力支援機能によって実現され、データ読込部１２１は、診療情報ＤＢ２１０から検査リスト情報を読み込み、レポート入力装置３０の制御部３１に転送する。制御部３１は、表示制御部３１２の機能により、検査リスト情報に基づいて、表示部３３に検査一覧画面を表示させる。
【０１１９】
図９は、検査一覧画面Ｇ１を例示する図である。図９に示すように、検査一覧画面Ｇ１は、検査に係る情報（具体的には、患者ＩＤ、患者氏名、生年月日、年齢、性別、状態、検査ＩＤ、検査日、検査部位、モダリティ、画像枚数）が一覧表示された画面である。
【０１２０】
この検査一覧画面Ｇ１では、状態「未読影」が付された検査が、読影レポートが作成されていない検査であることが分かる。
【０１２１】
検査一覧画面Ｇ１では、１つの検査を囲む太枠カーソルＣＳ１が表示される。この太枠カーソルＣＳ１は、ユーザーによる操作部３２の操作に応答して上下に移動され、所望の検査に合わされた状態で、操作部３２の決定ボタン（例えば、リターンキー）が押下されると、太枠カーソルＣＳ１で囲まれた１つの検査がレポート入力対象検査として選択される。このようにして、レポート入力対象検査が選択されると、表示部３３に表示される画面が検査一覧画面Ｇ１からレポート入力画面Ｇ２（後述）に遷移する。
【０１２２】
この検査選択動作では、例えば、図９に示すような検査一覧画面でレポート入力対象検査が選択されると、項目「検査部位」に属する要素（例えば、ＳＫＵＬＬ）と項目「モダリティ」に属する要素（例えば、ＣＲ）との組合せも同時に指定され認識される。
【０１２３】
また、レポート入力対象検査が選択されると、タスク管理部３１１により、レポート入力対象検査に対応する新規な読影レポートの作成に係るタスクが特定される。このとき、タスク管理部３１１の制御下で、診療情報ＤＢ２１０からレポート入力対象検査に対応する依頼事項、及び検査の詳細を示す属性情報がデータ読込部１２１によって読み込まれ、レポート入力装置３０の制御部３１に提供される。
【０１２４】
＜入力支援動作＞
次に、レポート入力装置３０において、新規な読影レポートを入力する画面（読影レポート入力画面）を表示させて、新規な読影レポートを入力させる場合について説明する。なお、レポート入力装置３０の表示部３３において表示される各種画面に係るデータはサーバ１００から入力され、レポート入力装置３０内の表示制御部３１２が当該入力データに基づいて表示部３３における画面表示を実現する。
【０１２５】
図１０は、読影レポート入力画面Ｇ２を例示する図である。図１０に示すように、読影レポート入力画面Ｇ２は、主に、依頼事項表示領域Ａ１、検査情報表示領域Ａ２、メモ領域Ａ３、非公開メモ領域Ａ４、作成支援情報表示領域Ａ５、所見文表示領域Ａ６、頻出句表示領域Ａ７、サマリ表示領域Ａ８、画像添付領域Ａ９、コマンド表示領域Ａ１０によって構成されている。
【０１２６】
依頼事項表示領域Ａ１は、レポート入力対象検査に係る依頼事項の内容が表示される領域である。具体的には、サーバ１００を介して診療情報ＤＢ２１０から取得した依頼事項に係る情報に基づいて、例えば、図１１に示すような依頼事項の内容が依頼事項表示領域Ａ１に表示される。
【０１２７】
検査情報表示領域Ａ２は、レポート入力対象検査に係る検査の詳細な内容が表示される領域である。具体的には、サーバ１００を介して診療情報ＤＢ２１０から取得した検査の詳細に係る情報に基づいて、例えば、図１２に示すような検査の詳細な内容が検査情報表示領域Ａ２に表示される。
【０１２８】
メモ領域Ａ３は、読影医による操作部３２の操作に応じて、自由な意見やその他の情報が記述される領域である。
【０１２９】
非公開メモ領域Ａ４は、メモ領域Ａ３と同様に、読影医による操作部３２の操作に応じて、自由な意見やその他の情報が記述される領域である。但し、非公開メモ領域Ａ４に記述される情報は、特定の機器又は特定の者しか閲覧することができない。例えば、ＩＰアドレスを用いたフィルタリングやパスワードの入力等によって閲覧を制限することができ、秘匿性の高い個人情報の情報管理に利用することができる。
【０１３０】
作成支援情報表示領域Ａ５は、読影レポートの作成を支援するために上述した入力支援ＤＢ１１１に格納されたネットワーク情報から取得（抽出）された一部のネットワーク情報を可視的に提供する領域である。詳細については後述するが、作成支援情報表示領域Ａ５では、まず、項目「カテゴリ」に属する要素を指定する画面が表示され、当該画面で指定された項目「カテゴリ」に属する要素に応じたネットワーク情報が入力支援ＤＢ１１１から取得されてテンプレート表示の形態で可視的に出力された画面（以下「入力支援テンプレート画面」とも称する）が表示される。入力支援テンプレート画面については後で詳述する。
【０１３１】
所見文表示領域Ａ６は、読影レポートを構成する所見文が表示される領域であり、読影医による操作部３２の操作に応答して所見文が記入される。
【０１３２】
頻出句表示領域Ａ７は、所見文で頻繁に使用される定型句（頻出句）の一覧が表示される領域であり、頻出句表示領域Ａ７では、例えば、図１３に示すような頻出句の一覧が表示される。読影医は操作部３２のマウス等を適宜操作することで、頻出句の一覧から１つの頻出句を指定して、所見文表示領域Ａ６のカーソル位置に指定された頻出句をコピー（記入）することができる。
【０１３３】
サマリ表示領域Ａ８は、所見文で頻繁に使用される定型文（サマリ句）の一覧が表示される領域であり、サマリ表示領域Ａ８では、例えば、図１４に示すような定型文の一覧が表示される。読影医は操作部３２のマウス等を適宜操作することで、定型文の一覧から１つの定型文を指定して、所見文表示領域Ａ６のカーソル位置に指定された定型文をコピー（記入）することができる。具体的には、例えば、サマリ表示領域Ａ８の定型文「特記すべき所見はありません。」が指定されると、所見文表示領域Ａ６に「特記すべき所見はありません。」という文字列がコピーされる。
【０１３４】
なお、頻出句及び定型文の情報は記憶部１１０等に予め記憶しておけば良く、例えば、１以上の頻出句や定型文を２項目「検査部位」「モダリティ」にそれぞれ属する要素の組合せと対応させて記憶しておき、検査一覧画面で指定された２項目「検査部位」「モダリティ」にそれぞれ属する要素の組合せに応じた頻出句や定型文の一覧が頻出句表示領域Ａ７やサマリ表示領域Ａ８に表示されるようにすれば利便性が高い。
【０１３５】
画像添付領域Ａ９は、代表的な画像を添付する領域であり、読影医による操作部３２の操作に応じて、所望の代表的な画像が添付される。
【０１３６】
コマンド表示領域Ａ１０は、コマンドを入力するためのアイコン（ここでは、ボタンＢＴ１，ＢＴ２）が列挙される領域である。具体的には、ボタンＢＴ１は、読影レポート入力画面Ｇ２において作成した読影レポートを構成する所見文や添付画像の内容を確定して診療情報ＤＢ２１０に新規に登録し、次の読影レポートの作成に移行させるコマンドを入力するボタンである。ボタンＢＴ２は、読影レポート入力画面Ｇ２において作成した読影レポートを構成する所見文や添付画像の内容をクリアして、読影レポートの内容を作成し直すコマンドを入力するボタンである。
【０１３７】
次に、作成支援情報表示領域Ａ５に表示されるテンプレート表示を利用して読影レポートを構成する所見文を入力する動作について説明する。
【０１３８】
作成支援情報表示領域Ａ５では、支援情報作成動作において上記の如く作成されたネットワーク情報がテンプレート表示の形態で可視的に出力され、当該テンプレート表示における要素（ここでは、語句）の選択肢が適宜指定されることで、所見文の入力（すなわち新規な読影レポートの入力）が実行される。
【０１３９】
但し、各属性項目に列挙される複数要素を選択肢として、単にネットワーク情報の全体（全体ネットワーク情報）を図６に示すように一覧表示するテンプレート表示の形態で提供すれば、列挙される選択肢の数が膨大過ぎて選択肢の選択が困難となる。そこで、本発明の実施形態に係るデータベースシステム１では、例えば、ユーザーである読影医が全体ネットワーク情報のうち一部の属性項目について要素を決めることで、全体ネットワーク情報から一部のネットワーク情報（一部ネットワーク情報）を取得（抽出）して表示するようにしている。このように、一部ネットワーク情報を一覧表示するテンプレート表示では、列挙される選択肢の数はある程度限定されているため、選択肢が見易くなる。
【０１４０】
更に、例えば、部位の項目に属する大分類の用語「前頭葉」については、各種接頭語や接尾語や小分類の用語が付加されて、種々の部位フレーズを構成する。このため、部位の分類項目に対しては１つの大分類の用語に係る部位フレーズが多数属する。しかしながら、多数の部位フレーズ（例えば「右前頭葉」「左前頭葉」「前頭葉白質」「前頭葉皮質下」「前頭葉皮質下白質」等）全てを一覧表示すると、列挙される選択肢の数が多く、選択肢の選択が困難である。
【０１４１】
このような問題に対して、一覧表示において、単に「接頭語」や「接尾語」や「小分類の用語」等といった詳細要素に係る分類項目を新たに設けることが考えられるが、このような方策では、一覧表示における項目が増加し過ぎて、見辛いものとなる。更には、詳細要素に係る分類項目については、詳細要素の入力が必須の項目でないため、レポート作成に最低限必要な必須項目は何か、ということも分かり辛いものとなる。
【０１４２】
そこで、データベースシステム１における一覧表示では、まず、同じ大分類の用語に関する複数の部位フレーズについては、大分類の用語を代表として示しておき、所定の指示に応答して、大分類の用語に係る複数の部位フレーズに関する詳細な情報が表示される。このような構成とすると、所見文の文章の骨格（最低限必要な必須項目）を明確にしたまま、詳細情報の入力も簡単に行うことができる。
【０１４３】
ここで、全体ネットワーク情報から一部のネットワーク情報を取得する手法について説明する。
【０１４４】
図１５は、全体ネットワーク情報から所望の一部のネットワーク情報を取得するための条件（以下「情報取得条件」「抽出条件」とも称する）を決定するテンプレート表示（情報取得条件決定テンプレート表示）ＴＰ１を例示する図である。
【０１４５】
上述の如く、検査選択動作によって検査が選択されると、読影レポート入力画面Ｇ２（例えば、図１０）では、例えば、依頼事項表示領域Ａ１に依頼事項の内容（例えば、図１１）が、検査情報表示領域Ａ２にレポート入力対象検査に係る検査の詳細な内容（例えば、図１２）が表示される。そして、支援情報検索部１２５の機能によって、作成支援情報表示領域Ａ５に、情報取得条件決定テンプレート表示ＴＰ１が表示される。
【０１４６】
情報取得条件決定テンプレート表示ＴＰ１では、全体ネットワーク情報における全属性項目のうちの一部の属性項目「カテゴリ」について、語句（選択肢）が列挙される。ここで列挙される属性項目「カテゴリ」に係る選択肢は、例えば、全体ネットワーク情報のうち、検査選択動作でレポート入力対象検査の選択と同時に指定された項目「検査部位」に属する要素と項目「モダリティ」に属する要素との組合せと関連付けられた項目「カテゴリ」に係る要素となっている。
【０１４７】
例えば、検査選択動作で、項目「検査部位」に属する要素「ＣＨＥＳＴ」と項目「モダリティ」に属する要素「ＣＲ」との組合せが指定された場合、情報取得条件決定テンプレート表示ＴＰ１では、図１５に示すように、項目「カテゴリ」に属する要素「肺」「軟部」「縦隔」「胸膜（辺縁）」「骨」「その他」が選択肢として列挙される。
【０１４８】
情報取得条件決定テンプレート表示ＴＰ１で列挙される項目「カテゴリ」に係る選択肢の情報は記憶部１１０等に予め記憶しておけば良く、例えば、項目「カテゴリ」に係る１以上の要素を２項目「検査部位」「モダリティ」にそれぞれ属する要素の組合せと対応させて記憶しておき、検査一覧画面で指定された２項目「検査部位」「モダリティ」にそれぞれ属する要素の組合せに応じた項目「カテゴリ」に係る選択肢の一覧が情報取得条件決定テンプレート表示ＴＰ１に表示されるようにすれば良い。
【０１４９】
更に具体的には、以下のような構成としても良い。例えば、図１６に示すように、２項目「検査部位」「モダリティ」にそれぞれ属する要素の組合せに対して、１以上の定型句と、１以上のサマリ句と、項目「カテゴリ」に属する複数の要素とをそれぞれ関連付けて記憶させておく。そして、検査選択動作におけるレポート入力対象検査（すなわち２項目「検査部位」「モダリティ」にそれぞれ属する要素の組合せ）が選択されると、その選択内容に応じた、頻出句の一覧、サマリ句の一覧、及び項目「カテゴリ」に係る要素の一覧が、頻出句表示領域Ａ７、サマリ表示領域Ａ８、及び作成支援情報表示領域Ａ５に表示される。
【０１５０】
この情報取得条件決定テンプレート表示ＴＰ１では、読影医が操作部３２を種々操作することで、マウスポインタＭＰを所望の選択肢に合わせて所定の操作（例えば、ダブルクリック）を行うと、項目「カテゴリ」に属する選択肢を指定することができる。
【０１５１】
ここでは、検査一覧画面（例えば、図９等）および情報取得条件決定テンプレート表示ＴＰ１において決定される選択肢の組合せが情報取得条件として指定される。例えば、図１５に示す情報取得条件決定テンプレート表示ＴＰ１において、項目「カテゴリ」に属する選択肢「胸膜」が指定された場合、項目「検査部位」の要素「ＣＨＥＳＴ」と項目「モダリティ」の要素「ＣＲ」と項目「カテゴリ」の要素「胸膜」からなる選択肢の組合せが情報取得条件として指定される。この情報取得条件は、制御部３１によってレポート入力装置３０から支援情報検索部１２５と設定ファイル認識部１２４とに与えられる。
【０１５２】
設定ファイル認識部１２４は、レポート入力装置３０からの情報取得条件の入力に応答して、設定ファイルＤＢ１１２に格納されたルール設定情報を参照することで、情報取得条件に含まれる要素の組合せと合致する条件（情報要求条件）を認識する。そして、設定ファイル認識部１２４は、ルール設定情報のうち認識された情報要求条件（すなわち情報取得条件）に対応する設定ファイルを認識する。なお、ここでは、情報取得条件に含まれる要素の組合せと合致する情報要求条件を認識する工程を設けたが、これに限られず、例えば、検査選択動作で項目「検査部位」に属する要素と項目「モダリティ」に属する要素の組合せが指定されると、設定ファイル認識部１２４が、当該指定された組合せを情報要求条件として認識するようにしても良い。
【０１５３】
ルール設定情報は、例えば、図１７で示すように情報要求条件と設定ファイルとが対応付けられたテーブルとなっている。図１７で示すテーブルでは、項目「モダリティ」が要素「ＭＲ」で項目「検査部位」が要素「ＳＫＵＬＬ」である情報要求条件に対して設定ファイル「Ｆｉｌｅ０００１」が対応付けられており、項目「モダリティ」が要素「ＣＲ」で項目「検査部位」が要素「ＣＨＥＳＴ」である情報要求条件に対して設定ファイル「Ｆｉｌｅ０００２」が対応付けられている。
【０１５４】
したがって、例えば、項目「検査部位」の要素「ＣＨＥＳＴ」と項目「モダリティ」の要素「ＣＲ」と項目「カテゴリ」の要素「胸膜」からなる選択肢の組合せが情報取得条件として与えられた場合には、情報取得条件に含まれる要素の組合せである項目「検査部位」の要素「ＣＨＥＳＴ」と項目「モダリティ」の要素「ＣＲ」の組合せに対応する設定ファイル「Ｆｉｌｅ０００２」が認識される。
【０１５５】
また、例えば、項目「検査部位」の要素「ＳＫＵＬＬ」と項目「モダリティ」の要素「ＭＲ」の選択肢の組合せを含む情報取得条件が与えられた場合には、情報取得条件に含まれる要素の組合せである項目「検査部位」の要素「ＳＫＵＬＬ」と項目「モダリティ」の要素「ＭＲ」の組合せに対応する設定ファイル「Ｆｉｌｅ０００１」が認識される。
【０１５６】
図１８及び図１９は、設定ファイルに格納されたデータ内容、すなわち情報取得ルールと画面生成ルールとを組み合わせた情報をそれぞれ例示する図である。なお、図１８では、項目「検査部位」の要素「ＣＨＥＳＴ」と項目「モダリティ」の要素「ＣＲ」の組合せに対応する設定ファイル「Ｆｉｌｅ０００２」のデータ内容が例示されており、図１９では、項目「検査部位」の要素「ＳＫＵＬＬ」と項目「モダリティ」の要素「ＭＲ」の組合せに対応する設定ファイル「Ｆｉｌｅ０００１」のデータ内容が例示されている。
【０１５７】
図１８及び図１９に示すように、設定ファイルのデータ内容は、情報要求条件が記述された部分Ｅ１１，Ｅ２１と、情報取得ルールが記述された部分Ｅ１２，Ｅ２２と、画面生成ルールが記述された部分Ｅ１３，Ｅ２３とに大別される。
【０１５８】
情報取得ルールについては、図１８及び図１９では、情報取得ルールに係る部分Ｅ１２，Ｅ２２の内容を詳細に記載していないが、例えば、情報を取得する対象となる項目の数や種類等を規定するものとなっており、当該項目の数や種類は、画面生成ルールで規定される項目の数や種類と対応するものとなっている。なお、例えば、ＲＤＦで記述されたネットワーク情報から一部のネットワーク情報を取得する為には、公知のＲＤＱＬ等を利用することができる。
【０１５９】
画面生成ルールについては、情報取得ルールに従って取得された一部ネットワーク情報の一覧表示を含む結果表示画面の生成ルールを記述したものである。ここでは、この結果表示画面は、一部ネットワーク情報に含まれる各項目を入力要素項目とし、各属性項目に列挙される複数の語句を入力する選択肢として、テンプレート表示の形態で提供する画面である。
【０１６０】
そして、画面生成ルールの内容は、例えば、一部ネットワーク情報に含まれる各項目について、２以上の要素が属している場合に当該２以上の要素に含まれる複数の要素が選択可能である項目（以下「複数要素選択可能項目」とも称する）であるか否かを示す部分Ｍ１と、要素に係る修飾語句（詳細要素）が入力可能である項目（以下「詳細要素入力可能項目」とも称する）であるか否かを示す部分Ｍ２と、要素の入力が必須である項目（以下「要素入力必須項目」とも称する）であるか否かを示す部分Ｍ３と、項目名を示す部分Ｍ４と、要素を表す文字のフォントの種類を示す部分Ｍ５と、当該フォントの色の種類を示す部分Ｍ６と、各要素を囲む表示要素の色（すなわち背景色）の種類を示す部分Ｍ７とに大別される。なお、各文字要素を囲む表示要素の形状の種類を示す情報部分等といったその他の情報部分を画面生成ルールに含めるようにしても良い。
【０１６１】
図１８では、項目「撮影条件」「部位」「基本所見」「診断」に属する要素の表示に係る情報がそれぞれ記載されている。例えば、項目「撮影情報」については、複数要素選択可能項目ではあるが、詳細要素入力可能項目でも要素入力必須項目でもない旨を示す情報部分Ｅ１３１が記載されており、更に、要素に係るフォントが「ＭＳ Ｐゴシック」であり、フォントの色の種類が「黒」であり、背景色が「白」である旨を示す情報部分Ｅ１３５が記載されている。また、項目「部位」に係る情報部分Ｅ１３２，Ｅ１３６、項目「基本所見」に係る情報部分Ｅ１３３，Ｅ１３７、項目「診断」に係る情報部分Ｅ１３４，Ｅ１３８が記載されている。なお、ここでは、全体ネットワーク情報における属性項目「診断１」を適宜属性項目「診断」と略して示しており、以下同様に示している。
【０１６２】
また、図１９では、項目「部位」「基本所見」「診断」に属する要素の表示に係る情報がそれぞれ記載されている。例えば、項目「部位」については、「複数要素選択可能項目」であり、「詳細要素入力可能項目」でもあり、「要素入力必須項目」でもある旨を示す情報部分Ｅ２３２が記載されており、更に、要素に係るフォントが「ＭＳ Ｐゴシック」であり、フォントの色の種類が「黒」であり、背景色が「白」である旨を示す情報部分Ｅ２３６が記載されている。また、項目「基本所見」に係る情報部分Ｅ２３３，Ｅ２３７、項目「診断」に係る情報部分Ｅ２３４，Ｅ２３８がそれぞれ記載されている。
【０１６３】
このような設定ファイルを、読影を行う検査に係る項目「モダリティ」「検査部位」にそれぞれ属する要素の組合せの数だけ準備しておき、情報取得条件等の入力に応答して、設定ファイル認識部１２４が、対応する設定ファイルを認識する。
【０１６４】
支援情報検索部１２５は、レポート入力装置３０からの情報取得条件の指定に応答して、設定ファイル認識部１２４で認識された設定ファイルの情報取得ルールに従って、入力支援ＤＢ１１１を検索する。そして、全体ネットワーク情報から、情報取得ルール及び情報取得条件に対応する一部ネットワーク情報を、作成支援情報表示領域Ａ５にテンプレート表示として一覧表示するための情報（以下「表示用ネットワーク情報」とも称する）として取得する。具体的には、全体ネットワーク情報から、情報取得条件を満たすネットワーク情報のうち情報取得ルールで規定される項目に絞り込んだ一部ネットワーク情報を取得する。
【０１６５】
このとき、支援情報検索部１２５は、入力支援ＤＢ１１１に格納されるカウント情報を参照することで、全体ネットワーク情報から、情報取得条件を満たす一部ネットワーク情報を抽出することができる。このとき、カウント情報から、抽出される一部ネットワーク情報に対応する一部のカウント情報も抽出する。
【０１６６】
なお、一部ネットワーク情報と一部のカウント情報とを適宜「一部関連情報」と総称し、一部ネットワーク情報及び一部のカウント情報については、それぞれ適宜「ネットワーク情報」及び「カウント情報」と略称する。ここでは、一部ネットワーク情報をＲＤＦで記述した形式で抽出することとすると、取得後の一部関連情報やネットワーク情報を容易に記述することができる。
【０１６７】
そして、上記のようにして抽出された一部ネットワーク情報が可視的に一覧表示されたテンプレート表示が提供される。なお、ここで提供されたテンプレート表示は、新規な読影レポートの所見文の入力を支援するものであるため、以下「入力支援テンプレート表示」とも称する。
【０１６８】
図２０は、入力支援テンプレート表示ＴＰ２の表示例を示す図であり、図２０では、項目「モダリティ」について要素「ＭＲ」、項目「検査部位」について要素「ＳＫＵＬＬ」、項目「カテゴリ」について要素「梗塞」の組合せが情報取得条件として指定された場合に表示される入力支援テンプレート表示ＴＰ２が例示されている。この入力支援テンプレート表示ＴＰ２は、設定ファイル認識部１２４によって認識された設定ファイル「Ｆｉｌｅ０００１」の画面生成ルールに従って生成される。後述する入力支援テンプレート表示ＴＰ２における各種入力及び指定は、読影医による操作部３２の操作入力に応じて行われる。なお、当該入力及び指定動作が、読影医の発する音声の認識を利用した手法を利用するなど、読影医の動作に応答して行われても良い。
【０１６９】
図２０に示すように、入力支援テンプレート表示ＴＰ２では、最上段に情報取得条件ＳＣが記載され、略中央を中心とした領域において、左から順に、項目「部位」「基本所見」「診断」についての複数の語句Ｆ１〜Ｆ３がそれぞれ表示される。具体的には、属性項目「部位」については、複数の語句（「前頭葉＞」・・・「橋」）Ｆ１が、属性項目「基本所見」については、複数の語句（「点状、斑状の高信号域」・・・「散在性の高信号域」）Ｆ２が、属性項目「診断」については、複数の語句（「陳旧性脳梗塞」・・・「多発性脳梗塞」）Ｆ３が列挙される。
【０１７０】
そして、３項目「部位」「基本所見」「診断」については、情報取得条件に沿って抽出された一部関連情報に基づき、各項目間で、相互に関連付けられた語句どうしが線（ここでは、破線）によって結ばれた状態で表示される。このようにして、ある程度絞られた一部ネットワーク情報が可視的に一覧表示される。
【０１７１】
また、図２０では、語句「前頭葉＞」などのように「＞」の付いている語句は、複数の部位フレーズを代表した大分類の用語を示している。
【０１７２】
このような大分類の用語については、接頭語、接尾語、小分類の用語等といった詳細な要素が付加された種々のフレーズ（例えば「右前頭葉」「左前頭葉」「前頭葉白質」「前頭葉皮質下」「前頭葉皮質下白質」等）が存在しているため、このような詳細な要素を入力したいことがある。
【０１７３】
そこで、ここでは、「＞」の付いている語句にマウスポインタＭＰを合わせて右クリックをすると、図２１に示すようなコマンドのリストが出現する。そして、当該コマンドのリストＣＬで「詳細情報を入力」を指定すると、制御部３１から支援情報検索部１２５に対して詳細要素の表示を要求する信号が送られる。そして、支援情報検索部１２５が、マウスポインタＭＰで指定された語句に対応する詳細情報構造化データ（例えば図７）を入力支援ＤＢ１１１から読み出し、当該構造化データに基づいて、図２２に示すようなポップアップ形式のリストＰＬが表示部３３に表示される。
【０１７４】
リストＰＬでは、例えば、図２２に示すように、「接頭語」「大分類の用語」「小分類の用語」に係る各要素についての情報が上から順に列挙される。具体的には、接頭語について、「なし」「右」「左」「両側」といった複数の詳細要素ＥＧ１が列挙され、当該複数の詳細要素の左方には各詳細要素にそれぞれ対応するように複数のラジオボタンＲＢ１が配置されている。そして、ユーザーがマウスを操作することで、マウスポインタを所望のラジオボタンに併せて左クリックすると、ラジオボタンが白丸状態から黒丸状態となり、黒丸のラジオボタンが左方に付された詳細要素が指定される。
【０１７５】
また、小分類の用語について「灰白質」「皮質」「皮質下」「皮質下白質」といった複数の詳細要素ＥＧ２が列挙され、当該複数の詳細要素の左方には各詳細要素にそれぞれ対応するように複数のチェックボックスＲＢ２が配置されている。そして、ユーザーがマウスを操作することで、マウスポインタを所望のチェックボックスに合わせて左クリックすると、チェックボックスが白抜き四角状態から黒四角状態となり、黒四角状態のチェックボックスが左方に付された詳細要素が指定される。
【０１７６】
そして、適宜ラジオボタン及びチェックボックスを用いて詳細要素を指定した状態で、「ＯＫ」ボタンをマウスを用いて押下することで詳細要素の指定を確定することができる。このとき、詳細要素が指定されていなければ、大分類の用語が、項目「部位」に対するレポート構成要素として指定される。一方、詳細要素が指定されていれば、大分類の用語に指定された詳細要素が付加されたフレーズが、一覧表示における大分類の用語から置き換えられる。
【０１７７】
例えば、図２２において、接頭語に係る詳細要素「右」と、小分類の用語に係る詳細要素「灰白質」とが指定されている場合には、図２３に示すように、大分類の用語「前頭葉」に対して接頭語「右」と小分類の用語「灰白質」が付加されたフレーズ「右前頭葉灰白質」が、一覧表示における項目「部位」に属する大分類の用語「前頭葉」から置き換えられる。なお、図２２において、「Ｃａｎｃｅｌ」ボタンをマウスを用いて押下すると、特に一覧表示における項目「部位」に属する大分類の用語の置き換えはなされない。
【０１７８】
各項目に対応する語句を指定する際には、入力支援テンプレート表示ＴＰ２の下部に表示される読影レポートの所見文の文章モデル表示ＭＤを参照する。この文章モデル表示ＭＤは、教師データ等と併せて外部から与えられたレポートモデル（ここでは、文章モデル）のデータに基づいて表示される。
【０１７９】
この文章モデル表示ＭＤは、「部位−基本所見−結語。診断−結語」などといった読影レポートの所見文の文章モデルを示している。具体的には、「［空白欄Ｗ１］に［空白欄Ｗ２］［プルダウン形式のリストＰＤ１］［空白欄Ｗ３］［プルダウン形式のリストＰＤ２］」といった文章モデルを示している。空白欄Ｗ１〜Ｗ３には、要素「部位」「基本所見」「診断」に係る語句がそれぞれ当てはまり、プルダウン形式のリストＰＤ１，ＰＤ２には、基本所見に係る結語と診断に係る結語とがそれぞれ当てはまる。
【０１８０】
つまり、読影医による語句の指定により、複数の語句（選択肢）Ｆ１のうちの所望の１以上の語句（例えば「右前頭葉灰白質」）が空白欄Ｗ１に充当され、複数の語句（選択肢）Ｆ２のうちの１つの語句（例えば「高信号域」）が空白欄Ｗ２に充当され、複数の語句（選択肢）Ｆ３のうちの１つの語句（例えば「急性期脳梗塞」）が空白欄Ｗ３に充当されることになる。
【０１８１】
入力支援テンプレート表示ＴＰ２では、設定ファイル「Ｆｉｌｅ０００１」に従って、項目「部位」は、要素入力必須項目であり、かつ複数要素選択可能項目であるとともに、詳細要素入力可能項目となっている。項目「基本所見」は、要素入力必須項目であり、かつ詳細要素入力可能項目となっているが、複数要素選択可能項目とはなっていない。項目「診断」は、要素入力必須項目とも、複数要素選択可能項目とも、詳細要素入力可能項目ともなっていない。
【０１８２】
３項目に対してそれぞれ語句を指定する際、まず、３項目のうちのいずれか１つの項目に属する語句（指定語句）にマウスポインタＭＰを合わせると、支援情報検索部１２５により、一部ネットワーク情報に対応する一部のカウント情報を参照して、指定語句を含む選択肢の組合せの回数が所定数（例えば、１０回）以上である場合には、当該指定語句を含む選択肢の組合せを示す線が太線で強調される。
【０１８３】
すなわち、入力支援テンプレート表示ＴＰ２において、ユーザーによる１つの要素の指定に応じて、入力支援ＤＢ１１１に格納される一部のカウント情報を参照することで、指定された１つの要素と当該１つの要素とは異なる他の要素との関連を示す表示態様が、関連の強さに応じた態様に変更される。なお、ここで基準となる所定数は、ユーザーである読影医が操作部３２を操作することで指定しても良いし、予め準備されたプログラムによって規定されても良い。
【０１８４】
例えば、図２０に示すように、項目「部位」に属する１つの語句「前頭葉」が指定された場合、「前頭葉」が属する項目「部位」以外の２項目「基本所見」「診断」に属する複数の語句については、「前頭葉」との関連性の強さに応じて太線で示すなど表示態様が変更される。
【０１８５】
このような表示態様の変更によって、既存の読影レポートにおいて使用頻度が高い語句の組合せを一目で把握することができる。このため、使用頻度が高い語句の組合せに沿って語句を選択すれば、的確かつ円滑な読影レポートの作成を図ることができる。また、この３項目について、特に語句を指定する順番は問われない。よって、直感的に指定し易い語句にマウスポインタＭＰを合わせると、レポートを構成する各要素の候補が、過去の使用状況に応じて表示される。このため、使用頻度等を参照しつつ、適切な語句を選択することができるため、新規な読影レポートの作成が更に容易になる。
【０１８６】
また、文章モデル表示ＭＤでは、３つの項目以外の所定の文章モデルに沿った自然文を構成する結語については、プルダウンリストＰＤ１，ＰＤ２にマウスポインタＭＰを適宜合わせて所望の選択肢を指定することができる。図２０では、基本所見については結語「を認める。」が指定され、診断については結語「を疑う。」が指定されている状態が示されている。なお、結語に係る選択肢は３つ以上であって良いし、形容詞や副詞など自然文を構成する他の語句についても選択的に指定することができるように構成しても良い。
【０１８７】
上記のようにして、３項目及び２つの結語についてそれぞれ語句（適宜フレーズも含む）を指定した状態で、読影医が操作部３２を種々入力操作して、マウスポインタＭＰを「文章の追加」を指示するボタンＢＴ１１に合わせて所定操作（例えば左クリック）をすると、制御部３１により、各項目等について指定された語句が所定のレポートモデルに沿ったレポートを構成する要素として決定される。そして、所見文表示領域Ａ６に対して文章モデル表示ＭＤに表示された読影レポートの所見文がコピーされる。
【０１８８】
一方、マウスポインタＭＰを「文章のクリア」を指示するボタンＢＴ１２に合わせて所定の操作（例えば左クリック）をすると、文章モデル表示ＭＤに表示された要素が全てクリアされる。
【０１８９】
図２４は、項目「モダリティ」について要素「ＣＲ」、項目「検査部位」について要素「ＣＨＥＳＴ」、項目「カテゴリ」について要素「胸膜」の組合せが情報取得条件として指定された場合に表示される入力支援テンプレート表示ＴＰ２１を例示する図である。この入力支援テンプレート表示ＴＰ２１は、設定ファイル認識部１２４によって認識された設定ファイル「Ｆｉｌｅ０００２」の画面生成ルールに従って生成される。
【０１９０】
図２４で示すように、入力支援テンプレート表示ＴＰ２１では、図２０で示した入力支援テンプレート表示ＴＰ２と同様に、最上段に情報取得条件ＳＣが記載され、略中央を中心とした領域において、左から順に、項目「撮影条件」「部位」「基本所見」「診断」についての複数の語句Ｆ１１〜Ｆ１４がそれぞれ表示される。具体的には、属性項目「撮影条件」については、複数の語句（「正面像」「側面像」）Ｆ１１が、属性項目「部位」については、複数の語句（「下頚部＞」・・・「後縦隔」）Ｆ１２が、属性項目「基本所見」については、複数の語句（「偏位＞」・・・「Aortic alongation」）Ｆ１３が、属性項目「診断」については、複数の語句（「食道裂孔ヘルニア」・・・「肺高血圧」）Ｆ１４が列挙される。
【０１９１】
そして、４項目「撮影条件」「部位」「基本所見」「診断」については、情報取得条件に沿って取得された一部ネットワーク情報に基づき、各項目間で、相互に関連付けられた語句どうしが線（ここでは、破線）によって結ばれた状態で表示される。
【０１９２】
なお、入力支援テンプレート表示ＴＰ２１における詳細要素の指定は、図２０で示した入力支援テンプレート表示ＴＰ２における詳細要素の指定と同様な操作で実現することができるため、ここでは説明を省略する。
【０１９３】
また、各項目に対応する語句を指定する際には、入力支援テンプレート表示ＴＰ２１の下部に表示される読影レポートの所見文の文章モデル表示ＭＤ１を参照すれば良い。この文章モデル表示ＭＤ１は、「撮影条件−部位−基本所見−結語。診断−結語」といった読影レポートの所見文の文章モデルを示している。具体的には、「［空白欄Ｗ１１］において［空白欄Ｗ１２］に［空白欄Ｗ１３］［プルダウン形式のリストＰＤ１１］［空白欄Ｗ１４］［プルダウン形式のリストＰＤ１２］」といった文章モデルを示している。空白欄Ｗ１１〜Ｗ１４には、要素「撮影条件」「部位」「基本所見」「診断」に係る語句がそれぞれ当てはまり、プルダウン形式のリストＰＤ１１，ＰＤ１２には、基本所見に係る結語と診断に係る結語とがそれぞれ当てはまる。
【０１９４】
つまり、読影医による語句の指定により、複数の語句（選択肢）Ｆ１１のうちの所望の１以上の語句（例えば「正面像」）が空白欄Ｗ１１に充当され、複数の語句（選択肢）Ｆ１２のうちの所望の１以上の語句（例えば「肺動脈」）が空白欄Ｗ１２に充当され、複数の語句（選択肢）Ｆ１３のうちの１つの語句（例えば「拡大」）が空白欄Ｗ１３に充当され、複数の語句（選択肢）Ｆ１４のうちの１以上の語句（例えば「リンパ節腫大」）が空白欄Ｗ１４に充当されることになる。
【０１９５】
入力支援テンプレート表示ＴＰ２１では、項目「撮影条件」は、複数要素選択可能項目であるが、要素入力必須項目とも、詳細要素入力可能項目ともなっていない。項目「部位」は、要素入力必須項目であり、かつ複数要素選択可能項目であるとともに、詳細要素入力可能項目となっている。項目「基本所見」は、要素入力必須項目であり、かつ詳細要素入力可能項目となっているが、複数要素選択可能項目とはなっていない。項目「診断」は、要素入力必須項目とも、複数要素選択可能項目とも、詳細要素入力可能項目ともなっていない。
【０１９６】
なお、入力支援テンプレート表示ＴＰ２１における４項目に対してそれぞれ語句を指定する動作については、図２０で示した入力支援テンプレート表示ＴＰ２における語句の指定動作と同様なものとなるため、ここでは説明を省略する。
【０１９７】
また、文章モデル表示ＭＤ１では、４つの項目以外の所定の文章モデルに沿った自然文を構成する結語については、プルダウンリストＰＤ１１，ＰＤ１２にマウスポインタＭＰを適宜合わせて所望の選択肢を指定することができる。図２４では、基本所見については結語「を認める。」が指定され、診断については結語「を疑う。」が指定されている状態が示されている。
【０１９８】
上記のようにして、４項目及び２つの結語についてそれぞれ語句（適宜フレーズも含む）を指定した状態で、読影医が操作部３２を種々入力操作して、マウスポインタＭＰを「文章の追加」を指示するボタンＢＴ１１に合わせて所定操作（例えば左クリック）をすると、制御部３１により、各項目等について指定された語句が所定のレポートモデルに沿ったレポートを構成する要素として決定される。そして、所見文表示領域Ａ６に対して文章モデル表示ＭＤ１に表示された読影レポートの所見文がコピーされる。また、マウスポインタＭＰを「文章のクリア」を指示するボタンＢＴ１２に合わせて所定の操作（例えば左クリック）をすると、文章モデル表示ＭＤ１に表示された要素が全てクリアされる。
【０１９９】
そして、図２０や図２４で示した入力支援テンプレート表示ＴＰ２，ＴＰ２１等を用いて所見文表示領域Ａ６に新規な所見文を記入して、読影レポート入力画面Ｇ２の最下部のボタンＢＴ１にマウスポインタＭＰを合わせて所定の操作（例えば左クリック）を行うと、新規な読影レポートの登録指示がなされる。そして、レポート構成部１２７に対して、所見文表示領域Ａ６に表示された所見文を含む新規な読影レポートを構成する要素が制御部３１より入力される。このとき、文章モデル表示ＭＤ，ＭＤ１に表示された読影レポートの所見文を構成する要素（レポート構成要素）については、各項目に対して各レポート構成要素が指定されるため、例えば、図５に示す単レポート構造化データのような形式で入力される。なお、以下では、このような構造化データの形式で入力される新規なレポートデータを「構造化レポートデータ」とも称する。
【０２００】
レポート構成部１２７では、構造化レポートデータ等に基づいて、所定のルールに沿った新規な読影レポート情報が生成され、データ書込部１２８を介して診療情報ＤＢ２１０に追加される。
【０２０１】
図２５は、新規なレポートの作成動作フローを示すフローチャートである。ここでは、レポート入力装置３０において所定の操作を行うと、まず、検査選択動作が開始され、図２５のステップＳＴ１１に進む。
【０２０２】
ステップＳＴ１１では、表示部３３に検査一覧画面（例えば図９の検査一覧画面Ｇ１）が表示される。
【０２０３】
ステップＳＴ１２では、検査一覧画面において新規な読影レポートを作成する対象となる検査（レポート入力対象検査）が選択されたか否か判定される。ここでは、レポート入力対象検査が選択されるまでステップＳＴ１２の判定が繰り返され、レポート入力対象検査が選択されるとステップＳＴ１３に進む。
【０２０４】
ステップＳＴ１３では、読影レポート入力画面Ｇ２が表示される。このとき、読影レポート入力画面Ｇ２の作成支援情報表示領域Ａ５には、既に選択されたレポート入力対象検査に係る項目「検査部位」の要素と項目「モダリティ」の要素の組合せに対応する項目「カテゴリ」に属する要素が列挙された画面（例えば、図１５の情報取得条件決定テンプレート表示ＴＰ１）が表示される。
【０２０５】
ステップＳＴ１４では、情報取得条件決定テンプレート表示ＴＰ１において項目「カテゴリ」に係る要素が選択されたか否かが判定される。ここでは、項目「カテゴリ」に係る要素が選択されるまでステップＳＴ１４の判定が繰り返され、項目「カテゴリ」に係る要素が選択されるとステップＳＴ１５に進む。このとき、項目「カテゴリ」に係る要素が選択されることで、情報取得条件が決定される。
【０２０６】
ステップＳＴ１５では、情報取得条件の入力に応答して、設定ファイル認識部１２４により、設定ファイルＤＢ１１２に格納されたルール設定情報を参照することで、情報取得条件に含まれる要素の組合せと合致する条件（情報要求条件）が認識される。
【０２０７】
ステップＳＴ１６では、設定ファイル認識部１２４により、設定ファイルＤＢ１１２に格納されたルール設定情報のうち、ステップＳＴ１５で認識された情報要求条件に対応する設定ファイルが認識されて採用される。
【０２０８】
ステップＳＴ１７では、ステップＳＴ１６で採用された設定ファイルの情報取得ルールと情報取得条件とに従って、入力支援ＤＢ１１１に格納された全体ネットワーク情報から一部ネットワーク情報が取得される。なお、このとき、一部のカウント情報も取得される。
【０２０９】
ステップＳＴ１８では、ステップＳＴ１６で採用された設定ファイルの画面生成ルールとステップＳＴ１７で取得された一部ネットワーク情報とに従って、当該一部ネットワーク情報の可視的な表示を含む入力支援テンプレート表示（例えば、図２０及び図２４の入力支援テンプレート表示ＴＰ２，ＴＰ２１）が作成支援情報表示領域Ａ５に表示される。
【０２１０】
ステップＳＴ１９では、入力支援テンプレート表示において各項目について要素が指定され、その他の情報が入力される。ここでは、読影医による操作部３２の操作入力によって各項目及び各結語についてそれぞれ語句（適宜フレーズも含む）を指定した状態で、マウスポインタＭＰを「文章の追加」を指示するボタンＢＴ１１に合わせて所定操作がなされると、所見文表示領域Ａ６に対して文章モデル表示ＭＤ１，ＭＤ２に表示された読影レポートの所見文がコピーされる。
【０２１１】
ステップＳＴ２０では、新規な読影レポートの登録指示がなされたか否かを判定する。ここでは、新規な読影レポートの登録指示がなされるまでステップＳＴ２０の判定が繰り返され、読影レポート入力画面Ｇ２の最下部のボタンＢＴ１にマウスポインタＭＰが合わされて所定の操作（例えば左クリック）が行われることで、ステップＳＴ２１に進む。
【０２１２】
ステップＳＴ２１では、レポート構成部１２７において新規な読影レポートが構成され、データ書込部１２８によって、診療情報ＤＢ２１０に対して新規な読影レポート情報が記録される。なお、このとき、入力支援テンプレート表示ＴＰ２において入力される構造化レポートデータは、レポート構成部１２７の機能により、入力支援ＤＢ１１１に格納される情報を補強するデータとしても使用される。つまり、新たな構造化レポートデータが入力される度に、当該データが、入力支援ＤＢ１１１に格納される全体ネットワーク情報に付加されつつ、カウント情報も更新される。そして、当該ネットワーク情報等の更新に伴って、情報取得条件等に応じて取得される一部ネットワーク情報の一覧表示においても、語句間を関連付ける線が増加したり、使用頻度に応じた表示態様が変化する。
【０２１３】
したがって、ここでは、レポート構成部１２７が、ユーザである読影医による入力に応答して、複数要素の項目に含まれる全て又は一部の項目にそれぞれ属する要素どうしの各項目間における関連を示す新規な入力情報である構造化レポートデータ（以下「新規要素関係情報」とも称する）を受け付ける。そして、レポート構成部１２７は、その機能によって、当該新規要素関係情報に基づき、入力支援ＤＢ１１１に格納される全体ネットワーク情報に対して各項目間における当該各項目にそれぞれ属する要素どうしの関連を示す情報を追加することで、入力支援ＤＢ１１１を更新する。
【０２１４】
以上のように、本発明の実施形態に係るデータベースシステム１では、既存の読影レポートの所見文を構成する複数要素の項目における各項目間で当該複数要素の項目にそれぞれ属する各要素が相互に関連付けられた関連情報を含む要素関連情報を入力支援ＤＢ１１１に予め格納しておく。また、設定ファイルＤＢ１１２において、相互に異なる各情報要求条件に対して、それぞれ情報取得ルールと情報の取得結果を表示する画面を生成する画面生成ルールの組合せを関連付けたルール設定情報を予め準備しておく。そして、ユーザーの入力に応じた情報要求条件に対応する情報取得ルール及び画面生成ルールに従って、入力支援ＤＢ１１１から一部の関連情報を取得するとともに、当該一部の関連情報に基づいて、複数要素の項目にそれぞれ属する各要素が各要素の項目間で相互に関連付けられたネットワーク情報の一覧表示を含む結果表示画面が表示部３３において可視的に出力される。このような構成を採用することで、読影レポートを作成する際に、検査部位やモダリティによって所見文に記載すべき文章が異なるような状況に応じた読影レポートの作成行動の指針となる情報を容易に提供することができる。
【０２１５】
また、ユーザーの入力に応答して、新規な情報要求条件に対して、情報取得ルールと画面生成ルールとの新規な組合せが関連付けられた情報が、設定ファイルＤＢ１１２に格納されたルール設定情報に追加される。このような構成を採用することで、状況に応じた情報の取得及び表示態様のバリエーションを増やすことができるため、更に状況に応じた行動の指針となる情報を容易に提供することができる。
【０２１６】
また、一部の関連情報に係る一覧表示において、ユーザーが各項目に対してそれぞれ要素を指定すると、指定された要素が所定のレポートモデルに沿ったレポートを構成する要素として入力される。このような構成を採用することで、ユーザーは、レポートを構成する要素を容易に入力することができる。
【０２１７】
また、新規な読影レポートの入力に応じた入力支援ＤＢ１１１の更新により、時を経る毎に変化する知識を有効に生かして、状況に応じた行動の指針となる情報を容易に提供することができる。
【０２１８】
＜変形例＞
以上、この発明の実施形態について説明したが、この発明は上記説明した内容のものに限定されるものではない。
【０２１９】
◎例えば、上記実施形態では、全体ネットワーク情報を作成して入力支援ＤＢ１１１に格納しておき、情報取得条件の入力に応じた一部ネットワーク情報を抽出して一覧表示したが、これに限られず、以下のような他の態様であっても良い。
【０２２０】
例えば、診療情報ＤＢ２１０に格納された全ての既存読影レポートについて図５で示したような単レポート構造化データをそれぞれ作成して入力支援ＤＢ１１１に蓄積することで情報を準備しておく。そして、情報取得条件の入力に応じて、支援情報検索部１２５が、情報取得条件に合致する単レポート構造化データを収集する。
【０２２１】
ここで、４つの項目「検査部位」「モダリティ」「カテゴリ」について、検査部位「ＳＫＵＬＬ」−モダリティ「ＭＲ」−カテゴリ「脳梗塞」の組合せが情報取得条件として入力されたと仮定すると、当該属性情報の組合せを有する全ての単レポート構造化データが入力支援ＤＢ１１１から検出されるとともに、そのうち情報取得ルールで規定される項目に係る情報（属性、及び属性値）が選択的に取得される。そして、当該取得された情報に基づいて、図２０に示すように、情報取得ルールで規定された属性項目毎に属性値（語句等）が列挙されるとともに、各属性項目間で複数の属性項目に属する各属性値どうしがネットワーク状に関連付けられたネットワーク情報が作成されて取得される。このネットワーク情報を作成する際には、各単レポート構造化データにおいて関連付けられた各項目間における語句の組合せの回数がカウントされ、当該カウント情報が、入力支援ＤＢ１１１に格納される。そして、作成されたネットワーク情報と、画面生成ルールとに基づいて、ネットワーク情報が作成支援情報表示領域Ａ５において可視的に表示され、読影レポートの入力を支援するテンプレート表示が提供される。このような構成であっても、上記実施形態と同様な効果を得ることができる。
【０２２２】
なお、このような構成では、入力支援ＤＢ１１１に格納されている多数の単レポート構造化データを全体として見ると、複数の属性項目にそれぞれ属する各属性値が各属性項目間で相互に関連付けられたネットワーク情報と見ることもできる。このような見方をすると、情報取得条件の入力に応答して全ネットワーク情報の一部にあたる一部ネットワーク情報を取得して、可視的に一覧表示していると見ることもできる。
【０２２３】
◎また、上記実施形態では、図１７で例示したように、情報要求条件が、ネットワーク情報を構成する複数要素の項目に含まれる２つの項目に属する要素の組合せを示す条件であったが、これに限られず、例えば、ネットワーク情報を構成する複数要素の項目に含まれる１つの項目に属する要素を示す条件であっても良いし、複数要素の項目に含まれる一部の複数要素の項目にそれぞれ属する要素の組合せを示す条件であっても良い。このような構成としても、入力支援ＤＢ１１１に格納された全体ネットワーク情報からある程度絞り込まれた一部のネットワーク情報を容易に提供することができる。したがって、状況に適した情報に絞り込んだ表示を実現することができる。
【０２２４】
◎また、上記実施形態では、１つの詳細情報付き要素について複数の詳細要素を表示させる例を示して説明したが、これに限られず、一部ネットワーク情報に１以上の詳細情報付き要素が含まれる場合に、一部ネットワーク情報に基づき、一部ネットワーク情報の一覧表示において、１以上の詳細情報付き要素に係る１以上の詳細要素が、１以上の詳細情報付き要素に対して関連付けられた表示態様で可視的に出力されるようにしても、上記実施形態と同様な効果を得ることができ、更に、状況に応じた詳細な情報も容易に提供することができる。
【０２２５】
◎また、上記実施形態では、入力支援ＤＢ１１１に格納される情報は、既存のレポートを言語処理によって解析することで作成したが、これに限られず、例えば、入力支援ＤＢ１１１に格納される情報をマニュアル操作で作成するようにしても良い。
【０２２６】
◎また、上記実施形態のように読影レポートの作成を支援するシステムにおいては、全体ネットワーク情報を構成する複数要素の項目が、モダリティ、カテゴリ、及び検査部位のうちの少なくとも１以上の項目を含むようにして、情報要求条件が、モダリティ、カテゴリ、及び検査部位のうちの１つの項目に属する要素、またはモダリティ、カテゴリ、及び検査部位に含まれる一部の項目にそれぞれ属する要素の組合せを示す条件であっても良い。
【０２２７】
◎また、上記実施形態では、画面生成ルールが、情報取得ルールに従って得られた一部ネットワーク情報に含まれる各項目について、複数要素選択可能項目であるか否かを示す部分Ｍ１と、詳細要素入力可能項目であるか否かを示す部分Ｍ２と、要素入力必須項目であるか否かを示す部分Ｍ３と、項目名を示す部分Ｍ４と、要素を表す文字のフォントの種類を示す部分Ｍ５と、当該フォントの色の種類を示す部分Ｍ６と、各要素を囲む表示要素の色（すなわち背景色）の種類を示す部分Ｍ７とを有していたが、これに限られない。例えば、情報取得ルールに従って得られた結果を表示する画面（結果表示画面）に含まれる各種表示要素の色、当該表示要素の形状、文字要素のフォントの種類、一部ネットワーク情報の一覧表示における要素の項目数、及び結果表示画面に含まれる表示要素に対して当該表示要素の指定に応じた情報処理を関連付けた内容をそれぞれ示す情報のうちの１以上の情報を有するようにしても良い。このような構成を採用することで、細かな状況に応じた結果表示画面を生成することができる。
【０２２８】
なお、結果表示画面に含まれる表示要素に対して関連付けられた当該表示要素の指定に応じた情報処理としては、例えば、上記実施形態のように、入力支援テンプレート表示ＴＰ２において、語句「前頭葉＞」などのように「＞」の付いている複数の部位フレーズを代表した大分類の用語にマウスポインタＭＰを合わせて右クリックをすると、図２１に示すようなコマンドのリストが出現するような情報処理等が挙げられる。また、図２０に示すように、項目「部位」に属する１つの語句「前頭葉」が指定された場合、「前頭葉」が属する項目「部位」以外の２項目「基本所見」「診断」に属する複数の語句については、「前頭葉」との関連性の強さに応じて太線で示すなど表示態様が変更されるような情報処理等も挙げられる。更に、各項目に属する要素にマウスポインタＭＰを合わせて所定の操作（例えば、左クリック）を行うと、各項目について所望の要素を所見文を構成する要素として指定することができるような情報処理等も挙げられる。
【０２２９】
◎また、上記実施形態では、入力支援テンプレート表示ＴＰ２に表示された各項目に属する要素を指定することで、新規な読影レポートを作成することができ、その結果として、各項目間における各項目に属する要素どうしの関連に対応する新規な情報を入力することができた。しかしながら、これに限られず、例えば、入力支援テンプレート表示ＴＰ２に表示された複数の項目の一部又は全部について、各項目に属する表示要素を指定することなく、ユーザーが各項目に対して直接語句等の要素を入力するようにしても良い。
【０２３０】
具体的には、入力支援テンプレート表示ＴＰ２に表示される複数の語句Ｆ１〜Ｆ３，Ｆ１１〜Ｆ１４から語句を指定することなく、ユーザーがキーボード入力等によって空白欄Ｗ１〜Ｗ３，Ｗ１１〜Ｗ１４に直接語句を入力することで、各項目に属する語句を指定するようにしても良い。
【０２３１】
このような構成によれば、例えば、図２０に示す画面において、項目「部位」「診断」についての複数の語句Ｆ１，Ｆ３から各項目に属する語句を指定しつつ、項目「基本所見」については、空白欄Ｗ２に直接語句を入力することで、各項目間における各項目に属する要素どうしの関連に対応する情報を入力することができる。そして、このようにして入力された各項目間における各項目に属する要素どうしの関連に対応する新規な入力情報によっても、過去の知識が変化するため、支援ＤＢ１１０が適宜進化する。但し、新規な入力情報を入力する際、空白欄Ｗ２に直接入力された語句については、どの項目に属する語句であるのかを示す情報を付加する必要性がある。そこで、このような情報処理を可能とするために、画面生成ルールが、入力支援テンプレート表示ＴＰ２においてユーザーによる入力により一覧表示に含まれる少なくとも一項目（例えば、基本所見）に対して当該一覧表示に含まれていない新規な要素（ここでは語句）が入力されることと、当該新規な要素に対して少なくとも一項目（例えば、基本所見）に属する要素であることを示す情報（マッピング情報）が付与されることとが関連付けられた情報を含むような構成とすれば良い。このような構成を採用すれば、各項目間における要素どうしの関連付けを示す新規な情報を容易に追加することができる。
【０２３２】
◎また、上記実施形態では、入力支援ＤＢ１１１において、各項目に属する複数の要素（詳細要素を含む）としての複数の語句（フレーズを含む）が各項目間で相互に関連付けられて格納されたが、これに限られず、例えば、レポートに図や画像等の語句以外の要素を含ませた場合に、各項目に属する複数の要素に、複数の図や画像等といった語句以外の要素を含めても良い。
【０２３３】
具体的には、例えば、項目「診断」に属する各語句に対して特徴的な症例の図や画像が関連付けられ、読影レポート入力画面Ｇ２で、例えば、項目「診断」について語句「ラクナ梗塞」が指定された場合に、画像添付領域Ａ９等に、「ラクナ梗塞」に関連付けられている特徴的な症例の図や画像等が自動的に表示されたり、挿入されても良い。なお、この特徴的な症例の図や画像等の表示は、マウスポインタＭＰを語句「ラクナ梗塞」に合わせると、ポップアップ形式で表示されても良い。
【０２３４】
また、項目「部位」について、詳細情報付き要素に関連付けられた複数の詳細要素を示す語句を表示する代わりに、複数の語句に対応する部位を示す複数の図をそれぞれ採用しても良い。例えば、脳の３つの部位フレーズ「左前頭葉」「右前頭葉」「両側前頭葉」を、図２６に示すような図で表現しても良く、ポップアップ表示やグラフ表示において、複数の語句の代わりに、図２６に示すような図を用いると、患者のＣＴやＭＲ像などを見ながら読影レポートを作成する際に、直感的に部位が選択し易くなる。
【０２３５】
なお、図２６に示す図の代わりに、脳の全体図が表示され、当該脳が「左前頭葉」「右前頭葉」等の詳細な部位に分割されており、この図上で、マウスポインタ等によって詳細な部位を指定することで、詳細な部位を指定することができるようにしても良い。
【０２３６】
また、部位を示す図や画像等としては、図２６に示すような詳細な部位に限られず、「前頭葉」等といったもう少し大まかな部位を示す図や画像等を採用することができる。
【０２３７】
また、レポート作成時に、項目「診断」について、例えば、梗塞や腫瘍等のサイズを入力したい場合があるが、この場合、図２７に示すようなサイズ（ここでは、図中黒丸部によって特定）を示す図を採用するようにしても良い。例えば、「３×３ｃｍの腫瘍」といったフレーズや「３×３ｃｍの」といった修飾語の代わりに、図２７に示すような図を採用しても良い。
【０２３８】
このように、入力支援ＤＢ１１１において、図等を含めて各項目に属する複数の要素を各項目間で相互に関連付けるとき、例えば、入力支援ＤＢ１１１に格納される全体ネットワーク情報をＲＤＦで記述するものとすると、図の情報そのものは別途記憶させておきつつ当該図をＵＲＬを用いて記述することで、語句と図の情報とを関連付けることができる。なお、このような入力支援ＤＢ１１１に格納される情報に図等の情報を盛り込むためには、既存のレポートを解析して、レポートを構成する各要素を関連付けて構造化する際に、図等の情報を抽出して関連付ける必要性がある。
【０２３９】
この手法としては、まず機械学習において、学習用コーパスに各種図の情報を追加した教師データを準備して機械学習を行うようにすれば良い。そして、機械学習した情報を用いて、既存のレポートを解析する際にも、各項目について、語句の抽出を行うとともに、パターンマッチング等の手法を用いて、図の情報も抽出して、図も含めた単レポート構造化データを作成することができる。
【０２４０】
◎また、上記実施形態では、病院内のネットワーク回線ＮＴＷ等によってサーバ１００と、各端末１０〜５０とがデータ送受信可能に接続され、病院内に蓄積された読影レポートを過去の知識として利用した入力支援機能を提供したが、これに限られず、例えば、図２８に示すように、サーバ１００を読影レポートの入力を支援するサービスを提供する業者や特定の病院が有し、当該サーバ１００にインターネット回線ＩＮ等を通じて各病院の読影医が端末（例えば、レポート入力装置３０Ａ）でアクセスして、入力支援機能を利用することができるようなデータベースシステム１Ａとしても良い。なお、このとき、サーバ１００を有する業者等が、各病院等の画像や読影レポート等を保管するサービスを提供するようにしても良い。
【０２４１】
◎また、上記実施形態では、読影レポートの入力を支援する例を挙げて説明し、過去の知識として多数の読影レポートに係るレポートデータを利用したが、これに限られず、例えば、インシデントレポートや診断レポート等といった他の医療情報のレポートの入力を支援するために、過去の知識として多数のインシデントレポートや診断レポートや看護日誌等といった他の医療情報のレポートを利用するようにしても良い。更に、本発明は、医療機関における医療情報のレポートの入力を支援する場合以外に、例えば、営業レポートの入力や種々のレポートの入力を支援する場合一般に適用することができる。
【０２４２】
このとき、入力支援ＤＢ１１１に格納される全体関連情報は、ある事象を表現する複数要素の項目における各項目間で、当該複数要素の項目にそれぞれ属する各要素が相互に関連付けられた情報となる。そして、このような構成を採用することで、過去の知識を利用しつつ、状況に応じて、種々のレポートを容易に作成することができる。
【０２４３】
更に、本発明は、レポート入力への適用に限られず、医療現場における各種ミーティングやインフォームドコンセント等において用いる今後の治療に係る行動の指針や、営業現場におけるクレーム対応等における対処方法に係る行動の指針となる情報を提供する場合一般に適用することができ、状況に応じて行動の指針となる情報を容易に提供することができる。
【０２４４】
◎また、上記実施形態では、入力支援ＤＢ１１１に複数の情報（ネットワーク情報とカウント情報と詳細情報）が格納されているが、この複数の情報を２以上の記憶部に適宜分散させて記憶させても良い。
【図面の簡単な説明】
【０２４５】
【図１】本発明の実施形態に係るデータベースシステムの概要を示す図である。
【図２】入力支援機能に係る情報処理内容の概要を示す図である。
【図３】レポート入力装置で新規読影レポートを入力する状態を例示する図である。
【図４】新規な読影レポートの入力に係る機能構成を示すブロック図である。
【図５】単レポート構造化データを例示する図である。
【図６】多数の既存読影レポートに係る要素が構造化された例を示す図である。
【図７】詳細な要素をＲＤＦの記述によって関連付けた情報を例示する図である。
【図８】支援情報作成動作の動作フローを示すフローチャートである。
【図９】検査一覧画面を例示する図である。
【図１０】読影レポート入力画面を例示する図である。
【図１１】依頼事項表示領域に表示される依頼事項の内容を例示する図である。
【図１２】検査情報表示領域に表示される検査の詳細な内容を例示する図である。
【図１３】頻出句の一覧を例示する図である。
【図１４】サマリの一覧を例示する図である。
【図１５】情報取得条件決定テンプレート表示を例示する図である。
【図１６】定型句とサマリ句に係る情報の記憶手法を例示する図である。
【図１７】ルール設定情報の内容を例示する図である。
【図１８】設定ファイルの内容を例示する図である。
【図１９】設定ファイルの内容を例示する図である。
【図２０】入力支援テンプレート表示の表示例を示す図である。
【図２１】詳細情報の入力に係るコマンドのリストを例示する図である。
【図２２】詳細情報の入力に係るポップアップ形式のリストを例示する図である。
【図２３】入力支援テンプレート表示の表示例を示す図である
【図２４】入力支援テンプレート表示の表示例を示す図である。
【図２５】新規なレポートの作成動作フローを示すフローチャートである。
【図２６】変形例に係る表示要素を例示する図である。
【図２７】変形例に係る表示要素を例示する図である。
【図２８】変形例に係るデータベースシステムの概要を示す図である。
【符号の説明】
【０２４６】
１，１Ａ  データベースシステム
３０，３０Ａ  端末（レポート入力装置）
３１，１２０  制御部
３２  操作部
３３  表示部
３４，１１０，２００  記憶部
１００  サーバ
１１１  入力支援データベース
１１２  設定ファイルデータベース
１２１  データ読込部
１２２  検査済判定部
１２３  データ構築部
１２４  設定ファイル認識部
１２５  支援情報検索部
１２６  設定ファイル更新部
１２７  レポート構成部
１２８  データ書込部
２１０  診療情報データベース
３１１  タスク管理部
３１２  表示制御部
Ｇ１  検査一覧画面
Ｇ２  読影レポート入力画面
ＴＰ１  情報取得条件決定テンプレート表示
ＴＰ２，ＴＰ２１  入力支援テンプレート表示
【図１】
2007323102.tif 000003
【図２】
2007323102.tif 000004
【図３】
2007323102.tif 000005
【図４】
2007323102.tif 000006
【図５】
2007323102.tif 000007
【図６】
2007323102.tif 000008
【図７】
2007323102.tif 000009
【図８】
2007323102.tif 000010
【図９】
2007323102.tif 000011
【図１０】
2007323102.tif 000012
【図１１】
2007323102.tif 000013
【図１２】
2007323102.tif 000014
【図１３】
2007323102.tif 000015
【図１４】
2007323102.tif 000016
【図１５】
2007323102.tif 000017
【図１６】
2007323102.tif 000018
【図１７】
2007323102.tif 000019
【図１８】
2007323102.tif 000020
【図１９】
2007323102.tif 000021
【図２０】
2007323102.tif 000022
【図２１】
2007323102.tif 000023
【図２２】
2007323102.tif 000024
【図２３】
2007323102.tif 000025
【図２４】
2007323102.tif 000026
【図２５】
2007323102.tif 000027
【図２６】
2007323102.tif 000028
【図２７】
2007323102.tif 000029
【図２８】
2007323102.tif 000030